(57)【要約】【課題】単一のアングルしかサポートしない規格で記録された映像を、複数のアングルをサポートした規格に準拠した映像に変換する際、単一のアングルしか対応しない映像を複数のアングルに対応可能な映像に変換するビデオデータ変換方法を提供するとともに、変換する前に、単一のアングルしかサポートしない規格で擬似的に複数のアングルに対応した映像をプレビュー表示するビデオデータ再生方法を提供する。【解決手段】ＤＶＤ−ＶＩＤＥＯ  ＲＥＣＯＲＤＩＮＧ規格に備えられたプレイリスト作成機能によって作成されるＵＤ−ＰＧＣ（Ｕｓｅｒ  Ｄｅｆｉｎｅｄ  Ｐｒｏｇｒａｍ  Ｃｈａｉｎ）を用いて、複数のＵＤ−ＰＧＣをＤＶＤ−Ｖｉｄｅｏ規格への変換の際に、１つのマルチアングルに対応したＤＶＤ−Ｖｉｄｅｏ規格のＰＧＣ（Ｐｒｏｇｒａｍ  Ｃｈａｉｎ）に変換することで、マルチアングルを実現する。【選択図】      図１
2004253842.tif 000002
【特許請求の範囲】
【請求項１】
単一のアングルしかサポートしない規格で記録した映像データを、複数のアングルをサポートする規格に準拠した映像データに変換するビデオデータ変換方法において、
上記単一のアングルしかサポートしない規格で記録した映像データの再生順を各々示す、複数のプレイリストを作成し、
該各プレイリストに対して、該各プレイリストの再生順に関するプレイリスト再生情報を入力し、
該プレイリスト再生情報を持つ上記複数のプレイリストを、上記複数のアングルをサポートする規格に準拠した映像データの再生順を示す１つのプログラムに、上記プレイリスト再生情報に従って変換する、
ことを特徴とするビデオデータ変換方法。
【請求項２】
請求項１に記載のビデオデータ変換方法において、
上記プレイリストの再生順に関するプレイリスト再生情報が、上記各プレイリストの再生順序を示すものであり、
上記複数のプレイリストの作成は、同一の再生時間を有する複数のプレイリストを含む上記複数のプレイリストを作成するものであり、
上記各プレイリストに対する上記プレイリスト再生情報の入力は、該各プレイリストに上記プレイリストの再生順序を入力し、該プレイリストのうちの上記同一の再生時間を有する複数のプレイリストに同一の再生順序を入力するものであり、
上記複数のプレイリストの変換は、該複数のプレイリストを、上記複数のアングルをサポートする規格に準拠した映像データの再生順を示す１つのプログラムに、上記各プレイリストの再生順序に従い且つ上記同一の再生順序を持つ複数のプレイリストをアングルブロックとして変換するものである、
ことを特徴とするビデオデータ変換方法。
【請求項３】
請求項１に記載のビデオデータ変換方法において、
上記プレイリストの再生順に関するプレイリスト再生情報が、上記各プレイリストの再生開始時間を示すものであり、
上記各プレイリストに対する上記プレイリスト再生情報の入力は、該各プレイリストに上記プレイリストの再生開始時間を入力するものであり、
上記複数のプレイリストの変換は、該複数のプレイリストを、上記複数のアングルをサポートする規格に準拠した映像データの再生順を示す１つのプログラムに、上記各プレイリストの再生開始時間に従い且つ上記複数のプレイリストの再生時間の重なり部分をアングルブロックとして変換するものである、
ことを特徴とするビデオデータ変換方法。
【請求項４】
請求項３に記載のビデオデータ変換方法において、
上記複数のプレイリストのうち、上記プレイリストの最後までを再生するプレイリストに、次のジャンプ先のプレイリストの情報を示すジャンプコマンドを付し、
上記複数のプレイリストの変換は、上記ジャンプコマンドが付されたプレイリストを含む複数のプレイリストを、上記複数のアングルをサポートする規格に準拠した映像データの再生順を示す１つのプログラムに、上記各プレイリストの再生開始時間及び上記ジャンプコマンドに従って変換するものである、
ことを特徴とするビデオデータ変換方法。
【請求項５】
請求項２に記載のビデオデータ変換方法において、
上記複数のプレイリストのうち、上記同一の再生順序を有する複数のプレイリストの任意の位置にエントリポイントを入力し、
上記複数のプレイリストの変換は、上記エントリポイントが挿入された複数のプレイリストを、上記複数のアングルをサポートする規格に準拠した映像データの再生順を示す１つのプログラムに、上記各プレイリストの再生順序に従い且つ上記エントリポイントが挿入された上記同一の再生順序を持つ複数のプレイリストをシームレスアングルブロックとして変換するものである、
ことを特徴とするビデオデータ変換方法。
【請求項６】
請求項３に記載のビデオデータ変換方法において、
上記複数のプレイリストのうち、上記複数のプレイリストの再生時間の重なり部分の任意の位置にエントリポイントを入力し、
上記複数のプレイリストの変換は、該複数のプレイリストを、上記複数のアングルをサポートする規格に準拠した映像データの再生順を示す１つのプログラムに、上記各プレイリストの再生開始時間に従い且つ上記エントリポイントが挿入された複数のプレイリストの再生時間の重なり部分をシームレスアングルブロックとして変換するものである、
ことを特徴とするビデオデータ変換方法。
【請求項７】
請求項２または請求項３に記載のビデオデータ変換方法において、
上記アングルブロックと認識された、上記複数のプレイリストの各テキストエリアに、アングル番号を挿入する、
ことを特徴とするビデオデータ変換方法。
【請求項８】
単一のアングルしかサポートしない規格で記録した映像データの再生を行うビデオデータ再生方法において、
上記単一のアングルしかサポートしない規格で記録した映像データの再生順を各々示す、複数のプレイリストを作成し、
該各プレイリストに対して、該各プレイリストの再生順に関するプレイリスト再生情報を入力し、
上記複数のプレイリストを、該プレイリスト再生情報に従って再生する、
ことを特徴とするビデオデータ再生方法。
【請求項９】
請求項８に記載のビデオデータ再生方法において、
上記プレイリストの再生順に関するプレイリスト再生情報が、上記各プレイリストの再生順序を示すものであり、
上記複数のプレイリストの作成は、同一の再生時間を有する複数のプレイリストを含む上記複数のプレイリストを作成するものであり、
上記各プレイリストに対する上記プレイリスト再生情報の入力は、該各プレイリストに上記再生順序を入力し、該プレイリストのうちの上記同一の再生時間を有する複数のプレイリストに同一の再生順序を入力するものであり、
上記複数のプレイリストの再生は、該各プレイリストを上記各プレイリストの再生順序に従い且つ上記同一の再生順序を持つ複数のプレイリストをアングルブロックとして再生するものである、
ことを特徴とするビデオデータ再生方法。
【請求項１０】
請求項９に記載のビデオデータ再生方法において、
上記複数のプレイリストのアングルブロックとしての再生は、
上記同一の再生順序が入力された複数のプレイリストの１つを再生中にアングル変更操作が行われたとき、該再生中のプレイリストと同一の再生順序を持つ他のプレイリストを読み込み、該他のプレイリストの同じ再生時間の位置にジャンプするものである、
ことを特徴とするビデオデータ再生方法。
【請求項１１】
請求項９に記載のビデオデータ再生方法において、
上記複数のプレイリストのアングルブロックとしての再生は、
上記同一の再生順序が入力された複数のプレイリストの１つを再生中に、該再生中のプレイリストと同一の再生順序を持つ他のプレイリストを読み込んでおき、
上記同一の再生順序が入力された複数のプレイリストの１つを再生中にアングル変更操作が行われたとき、上記他のプレイリストの同じ再生時間の位置にジャンプするものである、
ことを特徴とするビデオデータ再生方法。
【請求項１２】
請求項８に記載のビデオデータ再生方法において、
上記プレイリストの再生順に関するプレイリスト再生情報が、上記各プレイリストの再生開始時間を示すものであり、
上記各プレイリストに対する上記プレイリスト再生情報の入力は、該各プレイリストに対して上記プレイリストの再生開始時間を入力するものであり、
上記複数のプレイリストの再生は、該各プレイリストを上記各プレイリストの再生開始時間に従い、且つ上記複数のプレイリストの再生時間の重なり部分をアングルブロックとして再生するものである、
ことを特徴とするビデオデータ再生方法。
【請求項１３】
請求項１２に記載のビデオデータ再生方法において、
上記複数のプレイリストのアングルブロックとしての再生は、
上記複数のプレイリストの再生時間の重なり部分の再生中にアングル変更操作が行われたとき、該再生中のプレイリストと再生時間が重なる他のプレイリストを読み込み、該他のプレイリストの対応する再生時間の位置にジャンプするものである、
ことを特徴とするビデオデータ再生方法。
【請求項１４】
請求項１２に記載のビデオデータ再生方法において、
上記複数のプレイリストのうち、上記プレイリストの最後までを再生するプレイリストに、次のジャンプ先のプレイリストの情報を示すジャンプコマンドを付し、
上記複数のプレイリストの再生は、該ジャンプコマンドが付されたプレイリストを含む複数のプレイリストを、上記各プレイリストの再生開始時間及び上記ジャンプコマンドに従って再生するものである、
ことを特徴とするビデオデータ再生方法。
【請求項１５】
請求項９に記載のビデオデータ再生方法において、
上記複数のプレイリストのうち、上記同一の再生順序を有する複数のプレイリストの任意の位置にエントリポイントを入力し、
上記複数のプレイリストの再生は、該各プレイリストを上記各プレイリストの再生順序に従い、且つ上記エントリポイントが挿入された上記同一の再生順序を持つ複数のプレイリストをシームレスアングルブロックとして再生するものである、
ことを特徴とするビデオデータ再生方法。
【請求項１６】
請求項１５に記載のビデオデータ再生方法において、
上記複数のプレイリストのシームレスアングルブロックとしての再生は、
該同一の再生順序を持つ複数のプレイリストの１つを再生中にアングル変更操作が行われたとき、該再生中のプレイリストの再生を上記挿入されたエントリポイントの位置まで行い、該再生中のプレイリストと同一の再生順序を持つ他のプレイリストの、上記挿入されたエントリポイントの位置にジャンプするものである、
ことを特徴とするビデオデータ再生方法。
【請求項１７】
請求項１２に記載のビデオデータ再生方法において、
上記複数のプレイリストのうち、上記複数のプレイリストの再生時間の重なり部分の任意の位置にエントリポイントを入力し、
上記複数のプレイリストの再生は、該複数のプレイリストを上記各プレイリストの再生開始時間に従い、且つ上記エントリポイントが挿入された上記複数のプレイリストの再生時間の重なり部分をシームレスアングルブロックとして再生するものである、
ことを特徴とするビデオデータ再生方法。
【請求項１８】
請求項１７に記載のビデオデータ再生方法において、
上記複数のプレイリストのシームレスアングルブロックとしての再生は、
該複数のプレイリストの再生時間の重なり部分を再生中にアングル変更操作が行われたとき、該再生中のプレイリストの再生を上記挿入されたエントリポイントの位置まで行い、該再生中のプレイリストと再生時間が重なる他のプレイリストの、上記挿入されたエントリポイントの位置にジャンプするものである、
ことを特徴とするビデオデータ再生方法。
【請求項１９】
請求項９または請求項１２に記載のビデオデータ再生方法において、
上記アングルブロックとする上記複数のプレイリストのテキストエリア各々に、アングル番号を挿入し、
上記複数のプレイリストの再生は、該複数のプレイリストを上記アングル番号とともに再生するものである、
ことを特徴とするビデオデータ再生方法。
【発明の詳細な説明】
【０００１】
【発明の属する技術分野】
本発明は、単一のアングルしかサポートしない規格で記録された映像を複数のアングルをサポートした規格に準拠した映像に変換するビデオデータ変換方法、及びその変換前に編集後のプレビュー表示を単一のアングルしかサポートしない規格で記録された映像で行うビデオデータ再生方法に関する。
【０００２】
【従来の技術】
近年、ＤＶＤ−ＲＡＭレコーダーが普及しつつある。このＤＶＤ−ＲＡＭレコーダーでは、単一のアングルのみをサポートした規格（例えば、ＤＶＤ−ＶＲ（ＤＶＤ−ＶＩＤＥＯ  ＲＥＣＯＲＤＩＮＧ）規格）に準拠した映像を記録しているが、上記ＤＶＤ−ＶＲ規格に準拠した映像は、一般的なＤＶＤプレイヤーでは再生できない。このため、上記ＤＶＤ−ＶＲ規格に準拠した映像を他人に見せたい場合には、そのＤＶＤ−ＶＲ規格に準拠した映像を、一般的なＤＶＤプレーヤーで見ることができるように、ＰＣ（Ｐｅｒｓｏｎａｌ  Ｃｏｍｐｕｔｅｒ）やオーサリングシステムを用いて、ＤＶＤ−Ｖｉｄｅｏ規格に準拠した映像に変換し、ＤＶＤ−Ｒに保存する。
【０００３】
以下、図１７を用いて、ＤＶＤ−ＶＲ規格に準拠した映像をＤＶＤ−Ｖｉｄｅｏ規格に準拠した映像に変換する方法について説明する。図１７は、従来のビデオデータ変換装置の構成を示す図である。
【０００４】
図１７において、従来のビデオデータ変換装置は、ＤＶＤ−ＶＲ規格のデータが記録されている第１のメモリ１７２０からＵＤ−ＰＧＣあるいはＶＯＢＵを読み出すデータ読出部１７１３と、読み出したＵＤ−ＰＧＣを解析するＵＤ−ＰＧＣ解析部１７１２と、読み出したＶＯＢＵに、再生制御用のデータであるＮＶ−ＰＣＫ（Ｎａｖｉｇａｔｉｏｎ  Ｐａｃｋ）を付加するＮＶ−ＰＣＫ付加部１７１５と、ＤＶＤ−Ｖｉｄｅｏ規格のＰＧＣを作成するＰＧＣ作成部１７１７と、ユーザからの入力により処理するＵＤ−ＰＧＣを指示し、処理終了後にはＤＶＤ−Ｖｉｄｅｏ規格のＰＧＣの作成を指示する制御部１７１１と、ＤＶＤ−Ｖｉｄｅｏ規格のＮＶ−ＰＣＫが付加されたＶＯＢＵとＰＧＣとを第２のメモリ１７３０に書き込むデータ書込部１７１６と、を備えている。
【０００５】
そして、上述した従来のビデオデータ変換装置１７１０で、ＤＶＤ−ＶＲ規格に準拠した映像データを、ＤＶＤ−Ｖｉｄｅｏ規格に準拠した映像データに変換する場合、まず、ＤＶＤオーサリングシステム等を用いて、ＤＶＤ−ＶＲ規格に準拠した映像に対してメニュー作成等の編集作業を行った後、第１のメモリ１７２０に記録されている上記ＤＶＤ−ＶＲ規格に準拠した映像から、ＤＶＤ−Ｖｉｄｅｏ規格に変換する映像を選択する。
【０００６】
そして、その選択した映像を、従来のビデオデータ変換装置１７１０でＤＶＤ−Ｖｉｄｅｏ規格に準拠した映像に変換する場合、制御部１７１１は、ＰＧＣ解析部１７１２に、ユーザにより選択された映像信号のＰＧＣ（Ｐｒｏｇｒａｍ  Ｃｈａｉｎ）を指示する。
【０００７】
ここで、ＰＧＣとは、映像データのアクセス単位であるセル（Ｃｅｌｌ）の再生順序を示したデータであり、ＤＶＤ−ＶＲ規格のＰＧＣは図１８に示すようなデータ構成を有し、また、ＤＶＤ−Ｖｉｄｅｏ規格のＰＧＣは図１９に示すようなデータ構成を有している。詳述すると、ＤＶＤ−ＶＲ規格のＰＧＣは、図１８に示すように、再生されるセルの順番が記載され、さらにその下に、セルの再生時間と、該セルの構成単位情報であるＶＯＢＵ（Ｖｉｄｅｏ  Ｏｂｊｅｃｔ  Ｕｎｉｔ）の場所とを対応付けたリストであるＴＭＡＰ（Ｔｉｍｅ  Ｍａｐ）が設けられている。なお、上記ＶＯＢＵは、１つが０．４〜１秒の再生時間に対応するＭＰＥＧ２のプログラムストリームである。このように、ＤＶＤ−ＶＲ規格のＰＧＣにＴＭＡＰを設けているのは、ＤＶＤ−ＶＲ規格が編集作業をサポートしており、ユーザの編集の仕方によってはＶＯＢＵの記録順序と再生順序とが一致しない場合があるためである。なお、ＤＶＤ−ＶＲ規格のＰＧＣには、番組を録画したときに自動的に作成されるＯｒｉｇｉｎａｌ  ＰＧＣと、上述したようにＤＶＤ−ＶＲ規格がサポートする編集機能を利用して、ユーザがオリジナルの映像データをプレイリストなどを作成して編集した結果作られるＵＤ−ＰＧＣ（Ｕｓｅｒ  Ｄｅｆｉｎｅｄ  Ｐｒｏｇｒａｍ  Ｃｈａｉｎ）とがある。一方、ＤＶＤ−Ｖｉｄｅｏ規格のＰＧＣは、ＤＶＤ−Ｖｉｄｅｏ規格では編集作業がサポートされていないため、図１９に示すように、再生順序を示すセルの下に、ＴＭＡＰを介さずＶＯＢＵが存在している。
【０００８】
そして、上記制御部１７１１より、読み出すＵＤ−ＰＧＣ（あるいはＯｒｉｇｉｎａｌＰＧＣ）の指示を受け取ったＰＧＣ解析部１７１２は、データ読出部１７１３を介して第１のメモリ１７２０からＵＤ−ＰＧＣを読み出し、その読み出したＵＤ−ＰＧＣを解析して、読み出すＶＯＢＵを検出し、その検出したＶＯＢＵを、データ読出部１７１３を介して第１のメモリ１７２０から読み出してＮＶ−ＰＣＫ付加部１７１５に出力する。そして、ＮＶ−ＰＣＫ付加部１７１５では、ＶＯＢＵ情報と上述した編集作業で作成したメニュー等の情報とからＮＶ−ＰＣＫを作成し、該ＮＶ−ＰＣＫを読み出したＶＯＢＵに付加してＤＶＤ−Ｖｉｄｅｏ規格のＶＯＢＵにする。以上のような処理を複数回繰り返して、ＮＶ−ＰＣＫが付加されたＶＯＢＵを作成していき、そのＮＶ−ＰＣＫが付加されたＶＯＢＵを複数集めてセルとし、データ書込部１７１６を介して第２のメモリ１７３０に書き込んでいく。
【０００９】
そして、ＵＤ−ＰＧＣに示されている全てのＶＯＢＵに対して上述した変換処理がなされた後、制御部１７１１は、ＰＧＣ作成部１７１７にＤＶＤ−Ｖｉｄｅｏ規格のＰＧＣ作成の指示を出し、ＰＧＣ作成部１７１７において、その複数個のセルの再生順序を示したＤＶＤ−Ｖｉｄｅｏ規格のＰＧＣ情報を作成して、該ＰＧＣをデータ書込部１７１６により第２のメモリ１７３０に書き込み、ＤＶＤ−Ｖｉｄｅｏ規格の映像とする。
【００１０】
このように、従来において、ＤＶＤ−ＶＲ規格に準拠した映像からＤＶＤ−Ｖｉｄｅｏ規格に準拠した映像に変換する際には、図２０に示すように、ＤＶＤ−ＶＲ規格のＯｒｉｇｉｎａｌ  ＰＧＣあるいはＵＤ−ＰＧＣの１つが、ＤＶＤ−Ｖｉｄｅｏ規格のＰＧＣの１つとなるように変換が行われる。
【００１１】
【特許文献１】
国際公開番号ＷＯ９８／１３７６９（１０１頁、第２図）
【特許文献２】
特開２００２−５６６０９号公報
【００１２】
【発明が解決しようとする課題】
ところで、ＤＶＤ−Ｖｉｄｅｏ規格の特徴のひとつとして、複数のアングルをサポートできるマルチアングル機能がある。そして、ＤＶＤ−Ｖｉｄｅｏ規格においてマルチアングルを実現するためには、図２１に示すように、アングルブロックを構成する複数の映像データを、任意の個数のＶＯＢＵからなるＩＬＶＵ（Ｉｎｔｅｒｌｅａｖｅｄ  Ｕｎｉｔ）毎に、アングル番号順に並べて記録し、１つのＤＶＤ−Ｖｉｄｅｏ規格の映像データにしなければならない。
【００１３】
しかしながら、上述した従来の変換装置においては、図２０に示すように、ＤＶＤ−ＶＲ規格のＯｒｉｇｉｎａｌ  ＰＧＣあるいはＵＤ−ＰＧＣの１つが、ＤＶＤ−Ｖｉｄｅｏ規格のＰＧＣの１つとなるように変換されるので、単一アングルしかサポートしていないＤＶＤ−ＶＲ規格の映像データからは、マルチアングル機能が使えない、単一アングルにのみ対応したＤＶＤ−Ｖｉｄｅｏ規格の映像データは作成できるが、マルチアングル機能に対応したＤＶＤ−Ｖｉｄｅｏ規格の映像データは作成することができないという問題があった。
【００１４】
本発明は上記問題に鑑みてなされたものであり、単一のアングルしかサポートしない規格で記録された映像を、複数のアングルをサポートした規格に準拠した映像に変換する際、単一のアングルしか対応しない映像を複数のアングルに対応可能な映像に変換するビデオデータ変換方法を提供するとともに、該変換を行う前に、単一のアングルしかサポートしない規格で擬似的に複数のアングルに対応した映像をプレビュー表示するビデオデータ再生方法を提供することを目的とする。
【００１５】
【課題を解決するための手段】
上記課題を解決するために、本発明の請求項１に記載のビデオデータ変換方法は、単一のアングルしかサポートしない規格で記録した映像データを、複数のアングルをサポートする規格に準拠した映像データに変換するビデオデータ変換方法において、上記単一のアングルしかサポートしない規格で記録した映像データの再生順を各々示す、複数のプレイリストを作成し、該各プレイリストに対して、該各プレイリストの再生順に関するプレイリスト再生情報を入力し、該プレイリスト再生情報を持つ上記複数のプレイリストを、上記複数のアングルをサポートする規格に準拠した映像データの再生順を示す１つのプログラムに、上記プレイリスト再生情報に従って変換するものである。
【００１６】
また、本発明の請求項２に記載のビデオデータ変換方法は、請求項１に記載のビデオデータ変換方法において、上記プレイリストの再生順に関するプレイリスト再生情報が、上記各プレイリストの再生順序を示すものであり、上記複数のプレイリストの作成は、同一の再生時間を有する複数のプレイリストを含む上記複数のプレイリストを作成するものであり、上記各プレイリストに対する上記プレイリスト再生情報の入力は、該各プレイリストに上記プレイリストの再生順序を入力し、該プレイリストのうちの上記同一の再生時間を有する複数のプレイリストに同一の再生順序を入力するものであり、上記複数のプレイリストの変換は、該複数のプレイリストを、上記複数のアングルをサポートする規格に準拠した映像データの再生順を示す１つのプログラムに、上記各プレイリストの再生順序に従い且つ上記同一の再生順序を持つ複数のプレイリストをアングルブロックとして変換するものである。
【００１７】
また、本発明の請求項３に記載のビデオデータ変換方法は、請求項１に記載のビデオデータ変換方法において、上記プレイリストの再生順に関するプレイリスト再生情報が、上記各プレイリストの再生開始時間を示すものであり、上記各プレイリストに対する上記プレイリスト再生情報の入力は、該各プレイリストに上記プレイリストの再生開始時間を入力するものであり、上記複数のプレイリストの変換は、該複数のプレイリストを、上記複数のアングルをサポートする規格に準拠した映像データの再生順を示す１つのプログラムに、上記各プレイリストの再生開始時間に従い且つ上記複数のプレイリストの再生時間の重なり部分をアングルブロックとして変換するものである。
【００１８】
また、本発明の請求項４に記載のビデオデータ変換方法は、請求項３に記載のビデオデータ変換方法において、上記複数のプレイリストのうち、上記プレイリストの最後までを再生するプレイリストに、次のジャンプ先のプレイリストの情報を示すジャンプコマンドを付し、上記複数のプレイリストの変換は、上記ジャンプコマンドが付されたプレイリストを含む複数のプレイリストを、上記複数のアングルをサポートする規格に準拠した映像データの再生順を示す１つのプログラムに、上記各プレイリストの再生開始時間及び上記ジャンプコマンドに従って変換するものである。
【００１９】
また、本発明の請求項５に記載のビデオデータ変換方法は、請求項２に記載のビデオデータ変換方法において、上記複数のプレイリストのうち、上記同一の再生順序を有する複数のプレイリストの任意の位置にエントリポイントを入力し、上記複数のプレイリストの変換は、上記エントリポイントが挿入された複数のプレイリストを、上記複数のアングルをサポートする規格に準拠した映像データの再生順を示す１つのプログラムに、上記各プレイリストの再生順序に従い且つ上記エントリポイントが挿入された上記同一の再生順序を持つ複数のプレイリストをシームレスアングルブロックとして変換するものである。
【００２０】
また、本発明の請求項６に記載のビデオデータ変換方法は、請求項３に記載のビデオデータ変換方法において、上記複数のプレイリストのうち、上記複数のプレイリストの再生時間の重なり部分の任意の位置にエントリポイントを入力し、上記複数のプレイリストの変換は、該複数のプレイリストを、上記複数のアングルをサポートする規格に準拠した映像データの再生順を示す１つのプログラムに、上記各プレイリストの再生開始時間に従い且つ上記エントリポイントが挿入された複数のプレイリストの再生時間の重なり部分をシームレスアングルブロックとして変換するものである。
【００２１】
また、本発明の請求項７に記載のビデオデータ変換方法は、請求項２または請求項３に記載のビデオデータ変換方法において、上記アングルブロックと認識された、上記複数のプレイリストの各テキストエリアに、アングル番号を挿入する。
【００２２】
また、本発明の請求項８に記載のビデオデータ再生方法は、単一のアングルしかサポートしない規格で記録した映像データの再生を行うビデオデータ再生方法において、上記単一のアングルしかサポートしない規格で記録した映像データの再生順を各々示す、複数のプレイリストを作成し、該各プレイリストに対して、該各プレイリストの再生順に関するプレイリスト再生情報を入力し、上記複数のプレイリストを、該プレイリスト再生情報に従って再生するものである。
【００２３】
また、本発明の請求項９に記載のビデオデータ再生方法は、請求項８に記載のビデオデータ再生方法において、上記プレイリストの再生順に関するプレイリスト再生情報が、上記各プレイリストの再生順序を示すものであり、上記複数のプレイリストの作成は、同一の再生時間を有する複数のプレイリストを含む上記複数のプレイリストを作成するものであり、上記各プレイリストに対する上記プレイリスト再生情報の入力は、該各プレイリストに上記再生順序を入力し、該プレイリストのうちの上記同一の再生時間を有する複数のプレイリストに同一の再生順序を入力するものであり、上記複数のプレイリストの再生は、該各プレイリストを上記各プレイリストの再生順序に従い且つ上記同一の再生順序を持つ複数のプレイリストをアングルブロックとして再生するものである。
【００２４】
また、本発明の請求項１０に記載のビデオデータ再生方法は、請求項９に記載のビデオデータ再生方法において、上記複数のプレイリストのアングルブロックとしての再生は、上記同一の再生順序が入力された複数のプレイリストの１つを再生中にアングル変更操作が行われたとき、該再生中のプレイリストと同一の再生順序を持つ他のプレイリストを読み込み、該他のプレイリストの同じ再生時間の位置にジャンプするものである。
【００２５】
また、本発明の請求項１１に記載のビデオデータ再生方法は、請求項９に記載のビデオデータ再生方法において、上記複数のプレイリストのアングルブロックとしての再生は、上記同一の再生順序が入力された複数のプレイリストの１つを再生中に、該再生中のプレイリストと同一の再生順序を持つ他のプレイリストを読み込んでおき、上記同一の再生順序が入力された複数のプレイリストの１つを再生中にアングル変更操作が行われたとき、上記他のプレイリストの同じ再生時間の位置にジャンプするものである。
【００２６】
また、本発明の請求項１２に記載のビデオデータ再生方法は、請求項８に記載のビデオデータ再生方法において、上記プレイリストの再生順に関するプレイリスト再生情報が、上記各プレイリストの再生開始時間を示すものであり、上記各プレイリストに対する上記プレイリスト再生情報の入力は、該各プレイリストに対して上記プレイリストの再生開始時間を入力するものであり、上記複数のプレイリストの再生は、該各プレイリストを上記各プレイリストの再生開始時間に従い、且つ上記複数のプレイリストの再生時間の重なり部分をアングルブロックとして再生するものである。
【００２７】
また、本発明の請求項１３に記載のビデオデータ再生方法は、請求項１２に記載のビデオデータ再生方法において、上記複数のプレイリストのアングルブロックとしての再生は、上記複数のプレイリストの再生時間の重なり部分の再生中にアングル変更操作が行われたとき、該再生中のプレイリストと再生時間が重なる他のプレイリストを読み込み、該他のプレイリストの対応する再生時間の位置にジャンプするものである。
【００２８】
また、本発明の請求項１４に記載のビデオデータ再生方法は、請求項１２に記載のビデオデータ再生方法において、上記複数のプレイリストのうち、上記プレイリストの最後までを再生するプレイリストに、次のジャンプ先のプレイリストの情報を示すジャンプコマンドを付し、上記複数のプレイリストの再生は、該ジャンプコマンドが付されたプレイリストを含む複数のプレイリストを、上記各プレイリストの再生開始時間及び上記ジャンプコマンドに従って再生するものである。
【００２９】
また、本発明の請求項１５に記載のビデオデータ再生方法は、請求項９に記載のビデオデータ再生方法において、上記複数のプレイリストのうち、上記同一の再生順序を有する複数のプレイリストの任意の位置にエントリポイントを入力し、上記複数のプレイリストの再生は、該各プレイリストを上記各プレイリストの再生順序に従い、且つ上記エントリポイントが挿入された上記同一の再生順序を持つ複数のプレイリストをシームレスアングルブロックとして再生するものである。
【００３０】
また、本発明の請求項１６に記載のビデオデータ再生方法は、請求項１５に記載のビデオデータ再生方法において、上記複数のプレイリストのシームレスアングルブロックとしての再生は、該同一の再生順序を持つ複数のプレイリストの１つを再生中にアングル変更操作が行われたとき、該再生中のプレイリストの再生を上記挿入されたエントリポイントの位置まで行い、該再生中のプレイリストと同一の再生順序を持つ他のプレイリストの、上記挿入されたエントリポイントの位置にジャンプするものである。
【００３１】
また、本発明の請求項１７に記載のビデオデータ再生方法は、請求項１２に記載のビデオデータ再生方法において、上記複数のプレイリストのうち、上記複数のプレイリストの再生時間の重なり部分の任意の位置にエントリポイントを入力し、上記複数のプレイリストの再生は、該複数のプレイリストを上記各プレイリストの再生開始時間に従い、且つ上記エントリポイントが挿入された上記複数のプレイリストの再生時間の重なり部分をシームレスアングルブロックとして再生するものである。
【００３２】
また、本発明の請求項１８に記載のビデオデータ再生方法は、請求項１７に記載のビデオデータ再生方法において、上記複数のプレイリストのシームレスアングルブロックとしての再生は、該複数のプレイリストの再生時間の重なり部分を再生中にアングル変更操作が行われたとき、該再生中のプレイリストの再生を上記挿入されたエントリポイントの位置まで行い、該再生中のプレイリストと再生時間が重なる他のプレイリストの、上記挿入されたエントリポイントの位置にジャンプするものである。
【００３３】
また、本発明の請求項１９に記載のビデオデータ再生方法は、請求項９または請求項１２に記載のビデオデータ再生方法において、上記アングルブロックとする上記複数のプレイリストのテキストエリア各々に、アングル番号を挿入し、上記複数のプレイリストの再生は、該複数のプレイリストを上記アングル番号とともに再生するものである。
【００３４】
【発明の実施の形態】
（実施の形態１）
以下、本実施の形態１におけるビデオデータ変換方法について説明する。
本実施の形態１においては、変換対象である単一アングルの映像に、ユーザがプレイリスト再生情報を指定するようにし、該単一アングルの映像を変換する際には、そのプレイリスト再生情報に従って、複数アングルの映像に変換するようにするものである。なお、以下の各実施の形態においては、単一アングルのみをサポートする規格として、ＤＶＤ−ＶＲ規格を、また、複数アングルをサポートする規格として、ＤＶＤ−Ｖｉｄｅｏ規格を例に挙げて説明する。
【００３５】
まず、図１を用いて、本実施の形態１におけるビデオ変換方法の概念を説明する。図１は、本実施の形態１における、単一アングルのＤＶＤ−ＶＲ規格の映像データ（図（ａ））から、マルチアングルに対応したＤＶＤ−Ｖｉｄｅｏ規格の映像データ（図（ｂ））に変換する概念図である。
【００３６】
まず、ユーザは、オーサリングシステム等により映像データを編集して、図１（ａ）に示すように、複数、例えばここでは５つのＵＤ−ＰＧＣ▲１▼〜▲５▼を作成する。この際、マルチアングルとしたい部分は、例えばＵＤ−ＰＧＣ▲２▼〜▲４▼のように、各映像データが同じ再生時間を持つように予め編集する。そして、これらＤＶＤ−ＶＲ規格の映像データをＤＶＤ−Ｖｉｄｅｏ規格の映像データに変換する場合、ユーザは、変換対象として上記ＵＤ−ＰＧＣ▲１▼〜▲５▼を選択するとともに、ＵＤ−ＰＧＣ▲１▼〜▲５▼各々に、プレイリスト再生情報として、上記ＵＤ−ＰＧＣを再生する順番である再生順序を与えるようにし、また、マルチアングルに対応した映像を作成する場合には、そのアングルブロックを形成させる複数のＵＤ−ＰＧＣに対して、同じ再生順序を与えるようにする（図１（ａ）参照）。そして、ビデオデータ変換装置側では、同じ再生順序をもつＵＤ−ＰＧＣを、それらのＵＤ−ＰＧＣが図１（ｂ）に示されるような非シームレスアングルブロックであると認識し、ＤＶＤ−Ｖｉｄｅｏ規格の映像データに変換する際には、従来装置のように複数あるＵＤ−ＰＧＣを１つづつ再生順に記録するのではなく、図２１に示すように複数あるＵＤ−ＰＧＣをＩＬＶＵ毎に、アングル番号順に切替えて記録するようにして、上記５つのＤＶＤ−ＶＲ規格のＵＤ−ＰＧＣ▲１▼〜▲５▼から、１つのＤＶＤ−Ｖｉｄｅｏ規格のＰＧＣを作成するようにする。このようにすれば、１つのアングルにしか対応していないＤＶＤ−ＶＲ規格の映像データから、マルチアングルに対応できるＤＶＤ−Ｖｉｄｅｏ規格の映像データを作成することが可能となる。
【００３７】
以下、図２及び図３を用いて、上記概念を実現する本実施の形態１にかかるビデオデータ変換装置について説明する。図２は、本実施の形態１にかかるビデオデータ変換装置の構成を示す図であり、図３は、本実施の形態１にかかるビデオデータ変換装置の一連の動作を示すフローチャートである。
【００３８】
図２において、本実施の形態１のビデオデータ変換装置１０は、制御部１と、ＵＤ−ＰＧＣ解析部２と、データ読出部３と、ＶＯＢＵ制御部４と、ＮＶ−ＰＣＫ付加部５と、データ書込部６と、ＰＧＣ作成部７と、からなり、上記ＶＯＢＵ制御部４は、ＵＤ−ＰＧＣ解析部２からの解析結果をうけ、データ読出部３に対して、第１のメモリ２０から読み出すＶＯＢＵを指定するものである。なお、そのほかの構成は、従来のビデオデータ変換装置とほぼ同じであるため、ここでは説明を省略する。
【００３９】
以下、図３を参照しながら、本実施の形態１にかかるビデオデータ変換装置において、ＤＶＤ−ＶＲ規格の映像をＤＶＤ−Ｖｉｄｅｏの映像に変換する動作について説明する。
まず、ユーザは、オーサリングシステム等を用いてＤＶＤ−ＶＲ規格の映像を編集して複数の映像データを作成し、第１のメモリ２０に記録する。この編集作業の際、各映像データのＵＤ−ＰＧＣが作成され、第１のメモリ２０に同時に記録される。例えば、第１のメモリ２０に記録されているＵＤ−ＰＧＣが、図１（ａ）に示すようなものであるとする。
【００４０】
ユーザにより、処理するＵＤ−ＰＧＣと、その再生順序とが制御部１に入力されると、制御部１は、ＵＤ−ＰＧＣ解析部２に、最小の再生順序をもつＵＤ−ＰＧＣを読み出すように指示し（ステップＳ１）、その指示をうけたＵＤ−ＰＧＣ解析部２は、データ読出部３を介して第１のメモリ２０からＵＤ−ＰＧＣを読みだす（ステップＳ２）。このとき、制御部１は同じ再生順序のＵＤ−ＰＧＣの有無を確認し（ステップＳ３）、ない場合にはＵＤ−ＰＧＣ解析部２において、その読み出したＵＤ−ＰＧＣのＴＭＡＰを解析して（ステップＳ４）、ＶＯＢＵの再生順をＶＯＢＵ制御部４に出力する。一方、同じ再生順序のＵＤ−ＰＧＣがある場合には、上記ステップＳ２を戻って同じ再生順序が付されたＵＤ−ＰＧＣを全て読み出し（ステップＳ３）、ＵＤ−ＰＧＣ解析部２において、その読み出したＵＤ−ＰＧＣのＴＭＡＰを解析する（ステップＳ４）。
【００４１】
そして、上記ＶＯＢＵ制御部４は、上記ＵＤ−ＰＧＣ解析部２より受信したＶＯＢＵの再生順に基づき、データ読出部３を制御して、第１のメモリ２０からＶＯＢＵを読み出す（ステップＳ５）。例えば、同じ再生順序が付されたＵＤ−ＰＧＣがない場合、ＶＯＢＵ制御部４は、データ読出部３を、そのＵＤ−ＰＧＣに示される再生順にＶＯＢＵを読み出すように制御し、一方、同じ再生順序が付けられたＵＤ−ＰＧＣが複数ある場合、ＶＯＢＵ制御部４は、それらのＵＤ−ＰＧＣの映像データが非シームレスアングルブロックを構成すると認識して、図２１に示すように、複数のＵＤ−ＰＧＣをアングル順にきりかえて、ＩＬＶＵ単位でＶＯＢＵを読み出すように制御する。
【００４２】
そして、この後、ＶＯＢＵ制御部４の制御の下、読み出されたＶＯＢＵはＮＶ−ＰＣＫ付加部５に出力され、ＮＶ−ＰＣＫ付加部５において、その読み出した各ＶＯＢＵにＮＶ−ＰＣＫを付加していく（ステップＳ６）。そして、データ書込部６において、ＮＶ−ＰＣＫが付加されたＶＯＢＵがある一定数以上作成されたか否かを判断し（ステップＳ７）、ＶＯＢＵがある一定数作成されればそれらを集めてＩＬＶＵを作成して（ステップＳ８）、第２のメモリ３０に書き込んでいく。
【００４３】
そして、上記ＶＯＢＵ制御部４において、ＵＤ−ＰＧＣが示すＶＯＢＵに未処理のものがないかを判断し（ステップＳ９）、未処理のＶＯＢＵがあると判断された場合は上記ステップＳ４に戻って、上記処理を繰り返し行う。一方、上記ＶＯＢＵ制御部４において、ＵＤ−ＰＧＣが示す全てのＶＯＢＵに対して処理がなされたと判断されると、制御部１において、ユーザより指示されたＵＤ−ＰＧＣのうち未処理のものがあるか否かを判断し（ステップＳ１０）、未処理のＵＤ−ＰＧＣがあると判断された場合は、再び上記ステップＳ１に戻り、制御部１は未処理のＵＤ−ＰＧＣのうち、最小の再生順序が付けられたＵＤ−ＰＧＣを検出して、上述した処理を繰り返す。そして、ＵＤ−ＰＧＣに示されている全てのＶＯＢＵに対して上述した変換処理がなされた後、制御部１は、ＰＧＣ作成部７にＤＶＤ−Ｖｉｄｅｏ規格のＰＧＣ作成の指示を出し、ＰＧＣ作成部７において、その複数個のセルの再生順序を示したＤＶＤ−Ｖｉｄｅｏ規格のＰＧＣ情報を作成する（ステップＳ１１）。
【００４４】
このように、本実施の形態１では、ＤＶＤ−ＶＲ規格からマルチアングルに対応したＤＶＤ−Ｖｉｄｅｏ規格に変換する際に、ユーザにより、複数のＤＶＤ−ＶＲ規格の映像データのＵＤ−ＰＧＣに、プレイリスト再生情報である再生順序を与え、ビデオデータ変換装置側では該再生順序に基づいてＤＶＤ−ＶＲ規格の映像データをからＤＶＤ−Ｖｉｄｅｏ規格の映像データに変換するようにし、また、ＤＶＤ−ＶＲ規格の映像データからマルチアングルに対応したＤＶＤ−Ｖｉｄｅｏ規格の映像データを作成する場合には、編集時にアングルブロックを構成する映像データとして同じ再生時間を有する複数の映像データを作成して、その同じ再生時間を有する複数の映像データのＵＤ−ＰＧＣに同じ再生順序を与え、ビデオデータ変換装置側ではその同じ再生順序が指定されたＤＶＤ−ＶＲ規格の映像データを、非シームレスアングルブロックを構成するものと認識して、ＶＯＢＵ制御部４において、複数のＵＤ−ＰＧＣのアングル順に切替えてＩＬＶＵ単位毎にＶＯＢＵを読み出すよう制御するようにしたので、単一アングルしかサポートしないＤＶＤ−ＶＲ規格の映像データからマルチアングルに対応したＤＶＤ−Ｖｉｄｅｏ規格の映像に変換することができる。
【００４５】
（実施の形態２）
以下、図４〜図６を用いて、本実施の形態２にかかるビデオデータ再生方法について説明する。
【００４６】
本実施の形態２においては、上記実施の形態１のビデオデータ変換装置において、編集した単一アングルしかサポートしない映像データを、マルチアングルに対応した複数アングルをサポートする映像データに変換する前に、擬似的に非シームレスマルチアングルに対応したプレビュー表示を可能とするものである。
【００４７】
まず、マルチアングルをサポートするＤＶＤ−Ｖｉｄｅｏ規格において、非シームレスアングルブロック中のあるアングルのＶＯＢＵの再生中に、アングル変更操作がなされた場合の動作について説明する。ＤＶＤ−Ｖｉｄｅｏ規格のアングルブロックにおける映像データは、図２１に示すように各アングル順にＩＬＶＵ毎に記録されているため、容易に他アングルにおける対応するＶＯＢＵを検出可能であり、そのアングル変更操作がなされた時点で、現在再生中のアングルのＶＯＢＵの再生をとめ、ジャンプ先のアングルのＶＯＢＵの先頭から再生を開始させる。
【００４８】
本実施の形態２においては、このようなアングル変更動作を、マルチアングルをサポートしていないＤＶＤ−ＶＲ規格の映像データで擬似的に行うものであり、以下その動作の概略を説明すると、例えば、図１に示すようなＵＤ−ＰＧＣをもつＤＶＤ−ＶＲの映像データを編集中にプレビュー表示する場合、まず、ユーザより再生指示がだされ、ビデオデータ変換装置側ではユーザにより指定された再生順序に基づいて映像データの再生を行う。そして、ＵＤ−ＰＧＣに同じ再生順序が付された、マルチアングルを構成する映像データの再生中に、ユーザによりアングル変更操作がなされた場合、現在再生中のＵＤ−ＰＧＣの再生時間を保存するとともにその再生を中止し、他アングルのＵＤ−ＰＧＣに切替え、該切替えたＵＤ−ＰＧＣのＴＭＡＰと、上記保存した再生時間とから、切替え後のＵＤ−ＰＧＣでの相当する再生場所（ＶＯＢＵの位置）を検索し、その検索されたＶＯＢＵから再生を開始するようにする。このようにすれば、擬似的にマルチアングルに対応した再生が可能となる。
【００４９】
以下、図４及び図５を用いて、ＤＶＤ−ＶＲ規格の映像データで、アングル変更する動作について詳述する。図４は、本実施の形態２におけるビデオデータ変換装置のプレビュー動作に必要な構成部分を示した図であり、図５は、本実施の形態２におけるビデオデータ変換装置においてプレビューを行う際の一連の動作を示すフローチャートである。
【００５０】
図４において、本実施の形態２のビデオデータ変換装置１０ａにおいてプレビュー表示する際に必要な構成は、制御部１と、ＵＤ−ＰＧＣ解析部２と、データ読出部３と、ＶＯＢＵ制御部４と、ＭＥＰＧデコーダ８と、信号出力部９と、であり、上記ＭＰＥＧデコーダ８は、ＶＯＢＵ制御部４から出力されたＶＯＢＵをデコードしてデジタルデータに変換し、信号出力部９は、該デジタルデータをアナログデータにして表示部４０に出力するものである。なお、そのほかの構成は、上述した実施の形態１の構成と同様であるため、ここでは説明を省略する。
【００５１】
以下、図５を参照しながら、本実施の形態２のビデオデータ変換装置１０ａにおいてプレビュー表示を行う際の動作を説明すると、まず、ユーザにより上記実施の形態１において説明したような、例えば、図１（ａ）に示すＵＤ−ＰＧＣが編集され、それぞれのＵＤ−ＰＧＣに再生順序が指定されているとする。
【００５２】
このような編集映像データに対して、ユーザからの再生指示が制御部１に出力されると、制御部１はＵＤ−ＰＧＣ解析部２に最小の再生順序をもつＵＤ−ＰＧＣを読み出すように指示し（ステップＳ５１）、その指示をうけたＵＤ−ＰＧＣ解析部２は、データ読出部３を介して第１のメモリ２０からＵＤ−ＰＧＣを読み出す（ステップＳ５２）。そして、ＵＤ−ＰＧＣ解析部２において、その読み出したＵＤ−ＰＧＣのＴＭＡＰを解析して（ステップＳ５３）、ＶＯＢＵの再生順をＶＯＢＵ制御部４に出力する。
【００５３】
上記ＶＯＢＵ制御部４は、上記ＵＤ−ＰＧＣ解析部２より受信したＶＯＢＵの再生順に基づいて、データ読出部３を制御して、第１のメモリ２０からＶＯＢＵを読み出し（ステップＳ５４）、読み出したＶＯＢＵをＭＰＥＧデコーダ８に出力し、該ＭＰＥＧデコーダ８においてＶＯＢＵをデコードしてデジタルデータにする（ステップＳ５５）。そして、信号出力部９において上記デジタルデータをアナログデータにした後、表示部４０に表示するものである（ステップＳ５６）。
【００５４】
そして、このように表示部４０にプレビュー表示を行っている途中で、ユーザにより制御部１に対してアングル変更操作がなされた場合、そのとき再生中のＵＤ−ＰＧＣと同じ再生順序を有するか否かを確認して、アングル変更できる他アングルのＵＤ−ＰＧＣがあるときにはアングル変更が可能であると判断し（ステップＳ５７）、現在再生中のＵＤ−ＰＧＣの再生を中止してその再生時間をＶＯＢＵ制御部４に保存した後（ステップＳ５８）、上記ステップＳ５２に戻って、そのジャンプ先のＵＤ−ＰＧＣを制御部１から取得し、ＵＤ−ＰＧＣ解析部２においてその取得したＵＤ−ＰＧＣを解析して、ジャンプ先のＵＤ−ＰＧＣのＴＭＡＰと上記保存した再生時間から、その再生時間に相当するシャンプ先のＵＤ−ＰＧＣにおける再生場所（ＶＯＢＵの位置）を検出し、そのＶＯＢＵからＭＰＥＧデコードを開始して、表示部４０にその映像データを表示する（図６参照）。
【００５５】
そしてこの後、再生中のＵＤ−ＰＧＣに未再生のＶＯＢＵがあるか否かを判断し（ステップＳ５９）、未再生のＶＯＢＵがある場合には、上記ステップＳ５３に戻り、また、未再生のＶＯＢＵがないと判断された場合は、さらに次の再生順序のＵＤ−ＰＧＣがあるか否かを判断し（ステップＳ６０）、ある場合には上記ステップＳ５２に戻り、ない場合には処理を終了する。
【００５６】
このように、本実施の形態２では、ユーザにより再生指示を行う際に、編集した単一アングルのみサポートした映像データのＵＤ−ＰＧＣに対して再生順序を指定するようにし、ビデオデータ変換装置側では再生指示があったＵＤ−ＰＧＣを再生順序に基づいて再生し、さらにユーザより同じ再生順序が指定され、ビデオデータ変換装置側で非シームレスアングルブロックを構成すると認識された映像データ再生中に、ユーザによりアングル変更操作があった場合は、現在再生中のＵＤ−ＰＧＣの再生時間をＶＯＢＵ制御部４において保存するとともにその再生を中止し、ＵＤ−ＰＧＣ解析部２により他アングルであるＵＤ−ＰＧＣを解析してその他アングルのＵＤ−ＰＧＣのＴＭＡＰと上記保持した再生時間とにより、他アングルのＵＤ−ＰＧＣにおける上記再生時間に相当するＶＯＢＵを検索して、その検索されたＶＯＢＵから再生を開始するようにしたので、ＤＶＤ−ＶＲ規格の映像データであっても、擬似的にマルチアングルに対応した再生を実現でき、これにより、ＤＶＤ−Ｖｉｄｅｏ規格に変換する前に、ユーザがＤＶＤ−ＶＲ規格の映像データを編集中にプレビュー表示をして、編集した映像データを確認することができる。
【００５７】
なお、上記説明においては、ユーザが制御部１に対してアングル変更操作を行った際、ビデオデータ変換装置は、まず、アングル変更操作可能か判断してから（図５のステップＳ５７）、ジャンプ先の他アングルのＵＤ−ＰＧＣを取得し（図５のステップＳ５２）、ＵＤ−ＰＧＣ解析部２においてその他アングルであるＵＤ−ＰＧＣを解析して（図５のステップＳ５３）、その他アングルのＵＤ−ＰＧＣにおけるジャンプ先のＶＯＢＵを検索して、そのＶＯＢＵより再生を開始する（図５のステップＳ５４〜５６）ようにしていたが、ユーザにより再生指示が制御部１に出され、ステップＳ５２において最小の再生順序をもつＵＤ−ＰＧＣを取得する際、同じ再生順序が指定されたＵＤ−ＰＧＣをこの時点で全て検出して、ＵＤ−ＰＧＣ解析部２において全てのＵＤ−ＰＧＣを解析しておき、ＶＯＢＵ制御部４において、ＭＥＰＧデコーダ８に出力する、複数のＵＤ−ＰＧＣのうちの任意のアングル順のＵＤ−ＰＧＣのＶＯＢＵを制御すると同時に、他アングルのＵＤ−ＰＧＣの解析結果を保持しておくようにすれば、ユーザより他アングルへの変更操作があったときに、すぐに他アングルの相当するＶＯＢＵをＭＰＥＧデコーダ８に出力でき、これにより、ユーザによりアングル操作がなされてから、他アングルの該当するＶＯＢＵの表示をするまでのジャンプ時間を短縮して、ユーザに対して、ＤＶＤ−Ｖｉｄｅｏのアングル操作に近い操作感を与えることができる。
【００５８】
（実施の形態３）
以下、図７及び図８を用いて、本実施の形態３にかかるビデオデータ変換方法について説明する。
【００５９】
上記実施の形態１においては、ＤＶＤ−ＶＲ規格に準拠した映像データをＤＶＤ−Ｖｉｄｅｏ規格に準拠した映像データに変換する際、変換するＤＶＤ−ＶＲ規格の映像データのＵＤ−ＰＧＣに、プレイリスト再生情報として再生順序を与えて、ビデオデータ変換装置側では、その再生順序に基づいてＤＶＤ−Ｖｉｄｅｏ規格の映像データに変換する場合について説明したが、本実施の形態３においては、変換する映像データのＵＤ−ＰＧＣに、プレイリスト再生情報として、各映像データのＵＤ−ＰＧＣの再生を開始する再生開始時間を与えるようにし、ビデオデータ変換装置側ではその再生開始時間に基づいて、ＤＶＤ−Ｖｉｄｅｏ規格の映像データに変換するようにするものである。
【００６０】
まず、図７を用いて、本実施の形態３におけるビデオデータ変換方法の概念を説明する。図７は、本実施の形態３において、単一アングルのＤＶＤ−ＶＲ規格の映像データ（図（ａ））から、マルチアングルに対応したＤＶＤ−Ｖｉｄｅｏ規格の映像データ（図（ｂ））に変換する概念図である。
【００６１】
まず、ユーザは、オーサリングシステム等により映像データを編集して、図７（ａ）に示すように、複数、例えばここでは５つのＵＤ−ＰＧＣ▲１▼〜▲５▼を作成する。本実施の形態３においては、各ＵＤ−ＰＧＣに再生開始時間を設定するため、変換する映像データを同じ再生時間に予め編集しておく必要は無い。そして、これらＤＶＤ−ＶＲ規格の映像データをＤＶＤ−Ｖｉｄｅｏ規格の映像データに変換する場合、ユーザは、変換対象として上記ＵＤ−ＰＧＣ▲１▼〜▲５▼を選択するとともに、ＵＤ−ＰＧＣ▲１▼〜▲５▼各々に再生開始時間を指定するようにし、また、マルチアングルに対応した映像を作成する場合には、複数の映像データの再生時間が重なるように、再生時間を指定する（図７（ａ）参照）。そして、ビデオデータ変換装置側では、ユーザにより指定された再生開示時間とＵＤ−ＰＧＣの総再生時間を計算し、図７（ｂ）に示すように、各ＵＤ−ＰＧＣの再生時間が重なっているところを非シームレスアングルブロックであると認識し、ＤＶＤ−Ｖｉｄｅｏ規格の映像データに変換する際には、複数あるＵＤ−ＰＧＣを１つづつ再生順に記録するのではなく、図２１に示すように複数あるＵＤ−ＰＧＣをＩＬＶＵ毎に、アングル番号順に切替えて記録するようにして、上記５つのＤＶＤ−ＶＲ規格のＵＤ−ＰＧＣ▲１▼〜▲５▼から、１つのＤＶＤ−Ｖｉｄｅｏ規格のＰＧＣを作成するようにする。このようにすれば、１つのアングルにしか対応していないＤＶＤ−ＶＲ規格の映像データから、アングル数が頻繁に増減するような柔軟性にとんだマルチアングルに対応できるＤＶＤ−Ｖｉｄｅｏ規格の映像データを作成することが可能となる。
【００６２】
以下、図２及び図８を用いて、上記概念を実現する本実施の形態３にかかるビデオデータ変換装置について説明する。図８は、本実施の形態３にかかるビデオデータ変換装置の一連の変換動作を示すフローチャートである。なお、本実施の形態３におけるビデオデータ変換装置は、上記実施の形態１で説明したものと同様であるため、ここでは説明を省略する。
【００６３】
以下、図８を参照しながら、本実施の形態３にかかるビデオデータ変換装置においてＤＶＤ−ＶＲ規格の映像をＤＶＤ−Ｖｉｄｅｏ規格の映像に変換する動作について説明する。
まず、ユーザは、オーサリングシステム等を用いてＤＶＤ−ＶＲ規格の映像を編集して複数の映像データを作成し、第１のメモリ２０に記録する。この編集作業の際、各映像データのＵＤ−ＰＧＣが作成され、第１のメモリ２０に同時に記録される。例えば、第１のメモリ２０に記録されているＵＤ−ＰＧＣが、図７（ａ）に示すようなものであるとする。
【００６４】
ユーザにより、処理するＵＤ−ＰＧＣと、その再生開始時間とが制御部１に入力されると、制御部１は、ＵＤ−ＰＧＣ解析部２に、最小の再生開始時間をもつＵＤ−ＰＧＣを読み出すように指示し（ステップＳ８１）、その指示をうけたＵＤ−ＰＧＣ解析部２は、データ読出部３を介して第１のメモリ２０からＵＤ−ＰＧＣを読みだす（ステップＳ８２）。そして、ＵＤ−ＰＧＣ解析部２において、その読み出したＵＤ−ＰＧＣのＴＭＡＰを解析して（ステップＳ８３）、ＶＯＢＵの再生順をＶＯＢＵ制御部４に出力する。
【００６５】
そして、上記ＶＯＢＵ制御部４は、上記ＵＤ−ＰＧＣ解析部２より受信したＶＯＢＵの再生順に基づき、データ読出部３を制御して、第１のメモリ２０からＶＯＢＵを読み出し（ステップＳ８４）、読み出されたＶＯＢＵをＮＶ−ＰＣＫ付加部５に出力して、その読み出した各ＶＯＢＵにＮＶ−ＰＣＫを付加していく（ステップＳ８５）。そして、データ書込部６において、ＮＶ−ＰＣＫが付加されたＶＯＢＵがある一定数以上作成されたか否かを判断し（ステップＳ８６）、ＶＯＢＵがある一定数作成されればそれらを集めてＩＬＶＵを生成して（ステップＳ８７）、第２のメモリ３０に書き込んでいく。
【００６６】
そして、ＶＯＢＵ制御部４において、制御部１からの制御信号に基づいて再生時間の重なりがないか否かを確認しておき（ステップＳ８８）、重なりがあると判断した場合は、上記ステップＳ８２に戻って、重なる複数のＵＤ−ＰＧＣを取得して、それらの読み出すＶＯＢＵの再生順をＵＤ−ＰＧＣ解析部２より解析し、ＶＯＢＵ制御部４は、それらのＵＤ−ＰＧＣの映像データが非シームレスアングルブロックを構成すると認識して、図２１に示すように、複数のＵＤ−ＰＧＣをアングル順にきりかえて、ＩＬＶＵ単位でＶＯＢＵを読み出すように制御し、その読みされたＶＯＢＵにＮＶ−ＰＣＫ付加部５においてＮＶ−ＰＣＫを付加して、ＩＬＶＵを生成する作業を再生時間の重なりがなくなるまで繰り返す。そして、再生時間の重なりが終了し、かつ未処理のＶＯＢＵが終了すれば（ステップＳ８９）、未処理のＵＤ−ＰＧＣの有無を判断し（ステップＳ９０）、未処理のＵＤ−ＰＧＣがあれば上記ステップＳ８３に戻って処理を繰り返す。そしてこの後、ＵＤ−ＰＧＣに示されている全てのＶＯＢＵに対して上述した変換処理がなされた後、制御部１は、ＰＧＣ作成部７にＤＶＤ−Ｖｉｄｅｏ規格のＰＧＣ作成の指示を出し、ＰＧＣ作成部７において、その複数個のセルの再生順序を示したＤＶＤ−Ｖｉｄｅｏ規格のＰＧＣ情報を作成する（ステップＳ９１）。
【００６７】
このように、本実施の形態３では、ＤＶＤ−ＶＲ規格からＤＶＤ−Ｖｉｄｅｏ規格に変換する際に、ユーザにより、複数のＤＶＤ−ＶＲ規格の映像データのＵＤ−ＰＧＣに、プレイリスト再生情報である再生開始時間を与え、ビデオデータ変換装置側ではその再生開始時間に基づいてＤＶＤ−ＶＲ規格の映像データをＤＶＤ−Ｖｉｄｅｏ規格の映像データに変換するようにし、また、ＤＶＤ−ＶＲ規格の映像データからマルチアングルに対応した映像データを作成する場合には、ユーザにより編集された複数の映像データのＵＤ−ＰＧＣに、各ＵＤ−ＰＧＣの再生時間が重なるように再生開始時間を与え、ビデオデータ変換装置側ではその映像データの再生時間が重なっていれば非シームレスアングルブロックを構成するものと認識して、ＶＯＢＵ制御部４において、複数のＵＤ−ＰＧＣのアングル順に切替えてＩＬＶＵ毎にＶＯＢＵを読み出すよう制御するようにしたので、上記実施の形態１のようにユーザがアングルブロックを構成するために複数のＵＤ−ＰＧＣを同じ再生時間を有するように予め編集しなくてもよく、また、アングルブロックを構成するアングル数が頻繁に増減するようなＤＶＤ−Ｖｉｄｅｏ規格の映像データを作成する場合にも、編集映像が少ないので、変換時にユーザがプレイリスト再生情報として与える情報数も少なくてすみ、この結果、単一アングルしかサポートしないＤＶＤ−ＶＲ規格の映像データから、柔軟性にとんだマルチアングルに対応したＤＶＤ−Ｖｉｄｅｏ規格の映像に変換することが可能となる。
【００６８】
（実施の形態４）
以下、図４、図７、図９及び図１０を用いて、実施の形態４にかかるビデオデータ再生方法について説明する。
【００６９】
本実施の形態４においては、上記実施の形態３のビデオデータ変換装置において、編集した単一アングルしかサポートしない映像データを、マルチアングルに対応した複数のアングルをサポートする映像データに変換する前に、擬似的に非シームレスマルチアングルに対応したプレビュー表示を可能とするものである。
【００７０】
上記実施の形態２で説明したように、マルチアングルをサポートしていないＤＶＤ−ＶＲ規格の映像データにおいては、それぞれのＵＤ−ＰＧＣを１つづつ単独で再生することしかできないため、変換する前に、上記実施の形態３で再生開始時間に重なりを持たせた複数のＵＤ−ＰＧＣをアングルブロックと認識させ、マルチアングルに対応させた映像データを、そのプレビュー表示して確認することができない。
【００７１】
よって、本実施の形態４においては、上記実施の形態２で説明した構成と同様の装置において、上記実施の形態３に示した再生開始時間に重なりを持たせることで複数のＵＤ−ＰＧＣをアングルブロックと認識させるＤＶＤ−ＶＲ規格の映像データを図９のフローチャートに示すように再生することによって、擬似的にマルチアングルに対応した再生を可能とする。
【００７２】
以下、図４及び図９を用いて詳述する。図９は、本実施の形態４におけるビデオデータ変換装置においてプレビューを行う際の一連の動作を示すフローチャートである。
【００７３】
まず、ユーザにより上記実施の形態３において説明したような、例えば、図７（ａ）に示すＵＤ−ＰＧＣが編集され、それぞれのＵＤ−ＰＧＣに再生開始時間が指定されているとする。
【００７４】
このような編集映像データに対してユーザより再生指示が制御部１に対して出されると、制御部１はＵＤ−ＰＧＣ解析部２に最小の再生開始時間をもつＵＤ−ＰＧＣを読み出すように指示し（ステップＳ１０１）、その指示をうけたＵＤ−ＰＧＣ解析部２は、データ読出部３を介して第１のメモリ２０からＵＤ−ＰＧＣを読み出す（ステップＳ１０２）。そして、ＵＤ−ＰＧＣ解析部２において、その読み出したＵＤ−ＰＧＣのＴＭＡＰを解析して（ステップＳ１０３）、ＶＯＢＵの再生順をＶＯＢＵ制御部４に出力する。
【００７５】
上記ＶＯＢＵ制御部４は、上記ＵＤ−ＰＧＣ解析部２より受信したＶＯＢＵの再生順に基づいて、データ読出部３を制御して、第１のメモリ２０からＶＯＢＵを読み出し（ステップＳ１０４）、読み出したＶＯＢＵをＭＰＥＧデコーダ８に出力し、該ＭＰＥＧデコーダ８においてＶＯＢＵをデコードしてデジタルデータにする（ステップＳ１０５）。そして、信号出力部９においてデジタルデータをアナログデータにした後、表示部４０に表示するものである（ステップＳ１０６）。
【００７６】
そして、このように表示部４０にプレビュー表示を行っている途中で、ユーザにより制御部１に対してアングル変更操作がなされた場合、そのとき再生中のＵＤ−ＰＧＣに再生時間の重なりがあるか否かを確認して、ジャンプできる他アングルのＵＤ−ＰＧＣを有するときにはアングル変更操作が可能であると判断し（ステップＳ１０７）、現在再生中のＵＤ−ＰＧＣの再生を中止してその再生時間をＶＯＢＵ制御部４に保存した後（ステップＳ１０８）、上記ステップＳ１０２に戻って、そのジャンプ先のＵＤ−ＰＧＣを制御部１から取得し、ＵＤ−ＰＧＣ解析部２においてその取得したＵＤ−ＰＧＣを解析して、ジャンプ先のＵＤ−ＰＧＣの再生開始時間と、上記保存した再生時間から、ジャンプ先のＵＤ−ＰＧＣにおける再生開始位置を計算し、その再生開始位置からＭＰＥＧデコードを開始して、表示部４０にその映像データを表示する。
【００７７】
そして、この後、再生中のＵＤ−ＰＧＣに未再生のＶＯＢＵがあるか否かを判断し（ステップＳ１０９）、未再生のＶＯＢＵがある場合には、上記ステップＳ１０３に戻り、また、未再生のＶＯＢＵがないと判断された場合は、さらに未再生ＵＤ−ＰＧＣがあるか否かを判断し（ステップＳ１１０）、ある場合には上記ステップＳ１０２に戻り、ない場合には処理を終了する。
【００７８】
ここで、上記実施の形態３で説明したように、例えば、図７に示すようにＵＤ−ＰＧＣに再生開始時間を指定し、ビデオデータ変換装置側で、指定された複数のＵＤ−ＰＧＣの総再生時間を計算し、単純に各ＵＤ−ＰＧＣの再生時間の重なったところだけを非シームレスマルチアングルと認識すると、例えば、ユーザはＵＤ−ＰＧＣ▲２▼の再生終了後にＵＤ−ＰＧＣ▲４▼を再生したい場合でも、ビデオデータ変換装置側ではＵＤ−ＰＧＣ▲３▼の他アングルと重なっていない期間Ａの部分を未再生ＵＤ−ＰＧＣと判断して、再生してしまう可能性がある。
【００７９】
そこで、図１０に示すように、ＵＤ−ＰＧＣの最後まで再生した場合には、その再生終了したＵＤ−ＰＧＣに、他アングルのＵＤ−ＰＧＣ内のセルの先頭にジャンプすることを示すコマンド情報を付加するようにする。このコマンド情報は、例えばジャンプ先のＵＤ−ＰＧＣの番号と、ＵＤ−ＰＧＣのセルの番号とで構成することが考えられる。このようにすれば、ユーザにより再生開始時間が指定されたＤＶＤ−ＶＲ規格の映像データに対して再生指示がだされ、ビデオデータ変換装置側で、指示されたＵＤ−ＰＧＣを再生していく際、あるＵＤ−ＰＧＣの再生終了時に上述したコマンド情報があれば、他アングルに未再生のＶＯＢＵがあっても、コマンド情報が示すジャンプ先のＵＤ−ＰＧＣの情報を読み込んで、ＵＤ−ＰＧＣ解析部２によりジャンプ先のＵＤ−ＰＧＣの先頭のＶＯＢＵをＴＭＡＰを用いて検索して再生を開始でき、ユーザの思うとおりに映像を再生することができる。
【００８０】
さらに、上記コマンド情報が付加されたＵＤ−ＰＧＣを含むＤＶＤ−ＶＲ規格の映像データを、ビデオデータ変換装置において実際にＤＶＤ−Ｖｉｄｅｏ規格の映像データに変換する場合には、上記コマンド情報をＤＶＤ−Ｖｉｄｅｏ規格のセルコマンドや、ＰＧＣコマンドの、他の場所にジャンプする指示コマンドであるＪＵＭＰインストラクションに変換して、変換後の映像データにもそのコマンド情報を残しておくようにする。このようにすれば、上述したコマンド情報を、ＤＶＤ−Ｖｉｄｅｏ規格に変換後の映像データにおいても利用することができ、単一アングルしかサポートしないＤＶＤ−ＶＲ規格の映像データから、より柔軟性にとんだマルチアングルに対応したＤＶＤ−Ｖｉｄｅｏ規格の映像に変換することが可能となる。
【００８１】
このように、本実施の形態４では、ユーザにより、各ＵＤ−ＰＧＣに再生開始時間が指定されたＤＶＤ−ＶＲ規格の映像データの再生指示が出力されると、ビデオデータ変換装置側では再生指示があったＵＤ−ＰＧＣを再生開始時間に基づいて再生し、さらにユーザにより再生時間が重なるようにＤＵ−ＰＧＣに再生開示時間が与えられ、ビデオデータ変換装置側で非シームレスアングルブロックを構成すると認識された映像データ再生中に、ユーザによりアングル変更操作があった場合は、現在再生中のＵＤ−ＰＧＣの再生時間をＶＯＢＵ制御部４において保存するとともにその再生を中止し、ＵＤ−ＰＧＣ解析部２により他アングルであるＵＤ−ＰＧＣを解析して、その他アングルのＵＤ−ＰＧＣに指定された再生開始時間と上記保存された再生時間とにより、他アングルのＵＤ−ＰＧＣにおける相当するＶＯＢＵの位置を検索して、そのＶＯＢＵから再生を開始するようにしたので、ＤＶＤ−ＶＲ規格の映像データであっても、擬似的にマルチアングルに対応した再生を実現でき、これにより、ＤＶＤ−Ｖｉｄｅｏ規格に変換する前に、ユーザがＤＶＤ−ＶＲ規格の映像データを編集中にプレビュー表示をして、編集した映像データを確認することができる。
【００８２】
さらに、プレビュー表示にて、編集した映像データを確認する際に、最後まで再生したＵＤ−ＰＧＣに、次にジャンプするＵＤ−ＰＧＣを示すコマンド情報を付加し、さらにそのコマンド情報が付加されたＵＤ−ＰＧＣをＤＶＤ−Ｖｉｄｅｏ規格に変換する際には、そのコマンド情報をセルコマンドやＰＧＣコマンドに変換するようにしたので、単一アングルしかサポートしないＤＶＤ−ＶＲ規格の映像データから、より柔軟性にとんだマルチアングルに対応したＤＶＤ−Ｖｉｄｅｏ規格の映像に変換することが可能となる。
【００８３】
（実施の形態５）
以下、図１１〜図１３を用いて、実施の形態５にかかるビデオデータ変換方法について説明する。
【００８４】
上記実施の形態１においては、複数のＵＤ−ＰＧＣにプレイリスト再生情報として同じ再生順序を付し、ビデオデータ変換装置側では以上のようなＵＤ−ＰＧＣを検出すると非シームレスアングルブロックを構成すると認識するようにする場合について説明したが、本実施の形態５においては、上記ＵＤ−ＰＧＣにエントリポイントを付加し、ビデオデータ変換装置側ではこのエントリポイントが付加されたＵＤ−ＰＧＣを検出するとシームレスアングルブロックを構成すると認識するようにする場合について説明する。
【００８５】
ここで、非シームレスアングルブロックと、シームレスアングルブロックとについて説明する。
非シームレスアングルブロックとは、上記実施の形態において説明したように、アングル変更操作があると、現在再生中の映像をすぐに止め、その再生位置に対応する他アングルの再生位置から、映像を再生するものである（図６参照）。
【００８６】
一方、シームレスアングルブロックとは、アングル変更操作があった時点ではすぐにアングルを切り替えず、アングルを切り替えても違和感なく映像を切り替えられるシーンの切り替わり（シームレスポイント）まで再生を行い、該シームレスポイントにおいてアングル切替えを行うものである（図１１参照）。
【００８７】
まず、図１２を用いて、本実施の形態５におけるビデオ変換方法の概念を説明する。図１２は、本実施の形態５において、単一アングルのＤＶＤ−ＶＲ規格の映像データ（図（ａ））から、マルチアングルに対応したＤＶＤ−Ｖｉｄｅｏ規格の映像データ（図（ｂ））に変換する際、そのアングルブロックをシームレスアングルブロックとする場合の概念図である。
【００８８】
まず、ユーザは、オーサリングシステム等により映像データを編集して、図１２（ａ）に示すように、複数、例えばここでは４つのＵＤ−ＰＧＣ▲１▼〜▲４▼を作成する。この際、マルチアングルとしたい部分は、例えばＵＤ−ＰＧＣ▲２▼〜▲３▼のように、各映像データが同じ再生時間となるように調整する。そして、これらＤＶＤ−ＶＲ規格の映像データをＤＶＤ−Ｖｉｄｅｏ規格の映像データに変換したい場合、ユーザは、変換対象として上記ＵＤ−ＰＧＣ▲１▼〜▲４▼を選択するとともに、ＵＤ−ＰＧＣ▲１▼〜▲４▼各々に再生順序を与えるようにし、また、マルチアングルに対応した映像を作成したい場合には、そのアングルブロックを形成させる複数のＵＤ−ＰＧＣに対して、同じ再生順序を与えるとともに、エントリポイントを設定しておくようにする（図１２（ａ）参照）。ここで、エントリポイントとは、ユーザにより指定されるジャンプポイントであり、このエントリポイントをＵＤ−ＰＧＣ中に指定しておくとボタン操作でそのエントリポイントが付された位置にジャンプできるというものである。なお、エントリポイントの情報としては、ＵＤ−ＰＧＣの先頭からジャンプ場所までの再生時間である。そして、ビデオデータ変換装置側では、同じ再生順序をもつＵＤ−ＰＧＣを、それらのＵＤ−ＰＧＣが図１２（ｂ）に示されるようにアングルブロックであると認識し、さらにエントリポイントが指定されている場合にはシームレスアングルブロックと認識し、ＤＶＤ−Ｖｉｄｅｏ規格の映像データに変換する際には、従来装置のように複数あるＵＤ−ＰＧＣを１つづつ再生順に記録するのではなく、図２１に示すように複数あるＵＤ−ＰＧＣをＩＬＶＵ毎に、アングル番号順に切替え、さらに上記エントリポイントが上述したシームレスポイントとなるように記録するようにして、上記４つのＤＶＤ−ＶＲ規格のＵＤ−ＰＧＣ▲１▼〜▲４▼から、１つのＤＶＤ−Ｖｉｄｅｏ規格のＰＧＣを作成するようにする。このようにすれば、１つのアングルにしか対応していないＤＶＤ−ＶＲ規格の映像データから、シームレスマルチアングルに対応できるＤＶＤ−Ｖｉｄｅｏ規格の映像データ、を作成することが可能となる。
【００８９】
以下、図２及び図１３を用いて、上記概念を実現する本実施の形態５にかかるビデオデータ変換装置について説明する。図１３は、本実施の形態５にかかるビデオデータ変換装置において、エントリポイントが設定されたＤＶＤ−ＶＤ規格の映像データをプレビューする場合の一連の動作を示すフローチャートである。なお、本実施の形態５にかかるビデオデータ変換装置の構成は、上記実施の形態１において説明したものと同様であるため、ここでは説明を省略する。
【００９０】
まず、ユーザは、オーサリングシステム等を用いてＤＶＤ−ＶＲ規格の映像を編集して複数の映像データを作成し、第１のメモリ２０に記録する。この編集作業の際、各映像データのＵＤ−ＰＧＣが作成され、第１のメモリ２０に同時に記録される。例えば、第１のメモリ２０に記録されているＵＤ−ＰＧＣが、図１２（ａ）に示すようなものであるとする。
【００９１】
ユーザにより、処理するＵＤ−ＰＧＣと、その再生順序とが制御部１に入力されると、制御部１は、ＵＤ−ＰＧＣ解析部２に、最小の再生順序をもつＵＤ−ＰＧＣを読み出すように指示し（ステップＳ１３１）、その指示をうけたＵＤ−ＰＧＣ解析部２は、データ読出部３を介して第１のメモリ２０からＵＤ−ＰＧＣを読みだす（ステップＳ１３２）。このとき、制御部１は同じ再生順序のＵＤ−ＰＧＣの有無を確認し（ステップＳ１３３）、ない場合にはＵＤ−ＰＧＣ解析部２において、その読み出したＵＤ−ＰＧＣを解析して、その解析結果であるＶＯＢＵの再生順をＶＯＢＵ制御部４に出力する（ステップＳ１３４）。一方、同じ再生順序のＵＤ−ＰＧＣがある場合には、上記ステップＳ１３２を戻って同じ再生順序が付されたＵＤ−ＰＧＣを全て読み出し（ステップＳ１３３）、ＵＤ−ＰＧＣ解析部２において、その読み出したＵＤ−ＰＧＣのＴＭＡＰを解析する（ステップＳ１３４）。
【００９２】
そして、ＵＤ−ＰＧＣ解析部２にてＵＤ−ＰＧＣに設定されたエントリポイントを読出し（ステップＳ１３５）、そのエントリポイントの情報を読み込んで、エントリポイントが持っている再生時間と、上記読み出したＵＤ−ＰＧＣのＴＭＡＰとから、その読み出したＵＤ−ＰＧＣ内のジャンプ先のＶＯＢＵを特定する（ステップＳ１３６）。そして、ＶＯＢＵ制御部４の制御の下、特定したＶＯＢＵの一つ前のＶＯＢＵまで読出し（ステップＳ１３７）、そのＶＯＢＵをＮＶ−ＰＣＫ付加部５に出力して、ＮＶ−ＰＣＫを付加し（ステップＳ１３８）、そのＮＶ−ＰＣＫが付加されたＶＯＢＵより、ＩＬＶＵを生成し（ステップＳ１３９）、第２のメモリ３０に書き込んでいく。これにより、上記ステップＳ１４１において特定されたＶＯＢＵを、ＩＬＶＵの先頭になるように記録していくことができる。
【００９３】
そして、上記ＶＯＢＵ制御部４において、ＵＤ−ＰＧＣが示すＶＯＢＵに未処理のものがないかを判断し（ステップＳ１４０）、未処理のＶＯＢＵがあると判断された場合は上記ステップＳ１３４に戻り、一方、上記ＶＯＢＵ制御部４において、ＵＤ−ＰＧＣが示す全てのＶＯＢＵに対して処理がなされたと判断されると、制御部１において、ユーザより指示されたＵＤ−ＰＧＣのうち未処理のものがあるか否かを判断し（ステップＳ１４１）、未処理のＵＤ−ＰＧＣがあると判断された場合は、再び上記ステップＳ１３１に戻り、制御部１は未処理のＵＤ−ＰＧＣのうち、最小の再生順序が付けられたＵＤ−ＰＧＣを検出して、上述した処理を繰り返す。そしてこの後、ＵＤ−ＰＧＣに示されている全てのＶＯＢＵに対して上述した変換処理がなされた後、制御部１は、ＰＧＣ作成部７にＤＶＤ−Ｖｉｄｅｏ規格のＰＧＣ作成の指示を出し、ＰＧＣ作成部７において、その複数個のセルの再生順序を示したＤＶＤ−Ｖｉｄｅｏ規格のＰＧＣ情報を作成する（ステップＳ１４２）。
【００９４】
このように、本実施の形態５では、ＤＶＤ−ＶＲ規格の映像からマルチアングルに対応したＤＶＤ−Ｖｉｄｅｏ規格の映像を作成する場合には、編集時にアングルブロックを構成する映像データとして同じ再生時間の複数の映像データを作成し、該映像データのＵＤ−ＰＧＣに、プレイリスト再生情報として再生順序を与えるとともに、エントリポイントを設定し、ビデオデータ変換装置側ではエントリポイントを有する、同じ再生順序が与えられたＤＶＤ−ＶＲ規格の映像データをシームレスアングルブロックを構成するものと認識して、複数のＵＤ−ＰＧＣのアングル順に切替えてＩＬＶＵ単位毎にＶＯＢＵを読み出すようし、さらに該エントリポイントが付されたＶＯＢＵが、ＩＬＶＵの先頭になるように記録するようにしたので、単一アングルしかサポートしないＤＶＤ−ＶＲ規格の映像データから、シームレスマルチアングルに対応したＤＶＤ−Ｖｉｄｅｏ規格の映像に変換することが可能となる。
【００９５】
なお、上記説明においては、複数のＵＤ−ＰＧＣにプレイリスト再生情報として、再生順序を付けた場合を例に挙げて説明したが、プレイリスト再生情報として再生開始時間を付けた場合も、再生時間の重なり部分に上述したようなエントリポイントを設定するようにすれば、同様の効果が得られる。
【００９６】
（実施の形態６）
以下、図１４を用いて、本実施の形態６にかかるビデオデータ変換装置について説明する。
【００９７】
本実施の形態６においては、上記実施の形態５のビデオデータ変換装置においてシームレスマルチアングルに対応した映像データに変換する前の、ＤＶＤ−ＶＲ規格の映像データの編集途中に、擬似的にシームレスマルチアングルに対応したプレビュー表示を可能とするものである。
【００９８】
上記実施の形態５において図１１を用いてすでに説明したが、マルチアングルをサポートするＤＶＤ−Ｖｉｄｅｏ規格において、シームレスアングルブロック中のあるアングルのＶＯＢＵの再生中に、アングル変更操作がなされた場合は、アングル変更操作があった時点ではすぐにアングルを切り替えず、アングルを切り替えても違和感なく映像を切り替えられるシーンの切り替わり（シームレスポイント）まで再生を行い、該シームレスポイントにおいてアングル切替えを行うものである（図１１参照）。
【００９９】
本実施の形態６においては、このような動作を、マルチアングルをサポートしていないＤＶＤ−ＶＲ規格で行うものであり、その概略を説明すると、例えば、図１２（ａ）に示すようなＵＤ−ＰＧＣをもつＤＶＤ−ＶＲの映像データを編集中に、プレビュー表示する場合、ビデオデータ変換装置側では、該映像データに付された再生順序に基づいて映像データを再生していき、アングルブロックの映像データの再生中にユーザによりアングル変更操作がなされた場合は、現在再生中のＵＤ−ＰＧＣをエントリポイントまで再生した後再生を中止し、他アングルのＵＤ−ＰＧＣに切替え、該切替えたＵＤ−ＰＧＣのＴＭＡＰと、上記エントリポイントがもつ再生時間とから、切替え後のＵＤ−ＰＧＣでの相当する再生場所（ＶＯＢＵの位置）を検索し、その位置から再生を開始するようにする。このようにすれば、擬似的にシームレスマルチアングルに対応した再生が可能となる。
【０１００】
以下、図４及び図１４を用いて、ビデオデータ変換装置において、シームレスマルチアングルに対応したプレビュー動作について詳述する。図１４は、本実施の形態５におけるビデオデータ変換装置において、シームレスマルチアングルに対応したプレビューを行う際の一連の動作を示すフローチャートである。なお、本実施の形態５におけるプレビュー機能を備えたビデオデータ変換装置は、上記実施の形態２において図４を用いて説明したものと同様であるため、ここでは説明を省略する。
【０１０１】
まず、ユーザにより上記実施の形態１において説明したような、例えば、図１２（ａ）に示すエントリポイントが付されたＵＤ−ＰＧＣが編集され、それぞれのＵＤ−ＰＧＣに再生順序が指定されているとする。このような編集映像データに対してユーザにより再生指示が制御部１に対して出力されると、制御部１はＵＤ−ＰＧＣ解析部２に最小の再生順序をもつＵＤ−ＰＧＣを読み出すように指示し（ステップＳ１５１）、その指示をうけたＵＤ−ＰＧＣ解析部２は、データ読出部３を介して第１のメモリ２０からＵＤ−ＰＧＣを読み出す（ステップＳ１５２）。そして、ＵＤ−ＰＧＣ解析部２において、その読み出したＵＤ−ＰＧＣを解析して（ステップＳ１５３）、解析結果であるＶＯＢＵの再生順をＶＯＢＵ制御部４に出力する。
【０１０２】
上記ＶＯＢＵ制御部４は、上記ＵＤ−ＰＧＣ解析部２より受信したＶＯＢＵの再生順に基づいて、データ読出部３を制御して、第１のメモリ２０からＶＯＢＵを読み出し（ステップＳ１５４）、読み出したＶＯＢＵをＭＰＥＧデコーダ８に出力し、該ＭＰＥＧデコーダ８においてＶＯＢＵをデコードしてデジタルデータにし（ステップＳ１５５）、信号出力部９においてデジタルデータをアナログデータにしてから出力し、表示部４０に表示するものである（ステップＳ１５６）。
【０１０３】
そして、このように表示部４０にプレビュー表示を行っている途中で、ユーザにより制御部１に対してアングル変更操作がなされ、そのときの処理対象であるＵＤ−ＰＧＣと同じ再生順序が存在し、シームレスアングルブロックが構成されていて、ジャンプできる他アングルのＵＤ−ＰＧＣを有するときは、アングル変更が可能であると判断する（ステップＳ１５７）。
【０１０４】
この後、現在再生中のＵＤ−ＰＧＣの映像データをエントリポイントまで再生してからその再生を中止し（ステップＳ１５８）、上記ステップＳ１５２に戻って、そのジャンプ先のＵＤ−ＰＧＣを制御部１から取得し、ＵＤ−ＰＧＣ解析部２においてその取得したＵＤ−ＰＧＣを解析して、ＴＭＡＰと上記エントリポイントが持つ再生時間とから、そのシャンプ先のＵＤ−ＰＧＣにおける再生場所（ＶＯＢＵの位置）を検出し、その検出されたＶＯＢＵからＭＰＥＧデコードを開始して、表示部４０にその映像データを表示する（図１１参照）。
【０１０５】
そして、以上の処理を繰り返し、再生中のＵＤ−ＰＧＣに未再生のＶＯＢＵがあるか否かを判断し（ステップＳ１５９）、未再生のＶＯＢＵがある場合には、上記ステップＳ１５３に戻り、また、未再生のＶＯＢＵがないと判断された場合は、さらに次の再生順序のＵＤ−ＰＧＣがあるか否かを判断し（ステップＳ１６０）、ある場合には上記ステップＳ１５２に戻り、ない場合には処理を終了する。
【０１０６】
このように、本実施の形態６では、編集時に映像データのジャンプポイントに、エントリポイント設定しておき、ユーザより再生指示を行う際には再生順序を与えるようにし、その編集された映像データに対してユーザより再生指示があった場合、ビデオデータ変換装置側では再生順序に従って映像データを再生し、アングルブロックを構成する位置で、ユーザによりアングル変更操作があった場合には、現在再生中のＵＤ−ＰＧＣをエントリポイントまで再生してから再生を中止し、ＵＤ−ＰＧＣ解析部２により他アングルであるＵＤ−ＰＧＣを解析してＴＭＡＰと上記エントリポイントが有する再生時間とにより、他アングルのＵＤ−ＰＧＣにおける上記再生時間に相当するＶＯＢＵを検索して、その検索されたＶＯＢＵから再生を開始するようにしたので、ＤＶＤ−ＶＲ規格の映像データであっても、擬似的にシームレスマルチアングルに対応した再生を実現でき、これにより、ＤＶＤ−Ｖｉｄｅｏ規格に変換する前に、ユーザがＤＶＤ−ＶＲ規格の映像データを編集中にプレビュー表示をして、編集した映像データを確認することができる。
【０１０７】
なお、上記説明においては、複数のＵＤ−ＰＧＣにプレイリスト再生情報として、再生順序を付けた場合を例に挙げて説明したが、プレイリスト再生情報として再生開始時間を付けた場合も、再生時間の重なり部分に上述したようなエントリポイントを設定するようにすれば、同様の効果が得られる。
【０１０８】
（実施の形態７）
以下、図１５を用いて本実施の形態７にかかるビデオデータ変換装置について説明する。
【０１０９】
本実施の形態７においては、プレビュー表示を行う際、表示部に映像のみが再生されるのではなく、現在表示されている映像データのアングル番号等を表示し、現在の再生状況を確認できるようにするものである。
【０１１０】
まず、ＤＶＤ−ＶＲ規格の各ＰＧＣには、Ｐｒｉｍａｒｙ  Ｔｅｘｔ  Ｉｎｆｏｒｍａｔｉｏｎというテキストエリアが存在し、通常はこの部分に、番組のタイトルや録画時間が書き込まれている。
【０１１１】
本実施の形態７においては、上述したように上記映像データとともにアングル番号を表示するために、ユーザがＤＶＤ−ＶＲ規格の映像データを編集して、再生順序や再生開始時間等を設定して、複数のＵＤ−ＰＧＣでアングルブロックを構成し、そのアングルブロックが決定した時点で、そのアングルブロックを構成する各ＵＤ−ＰＧＣの上記テキストエリアにアングル番号を書き込む。
【０１１２】
例えば、図１（ａ）に示すようなＤＶＤ−ＶＲ規格の映像データを図１（ｂ）に示すようなＤＶＤ−Ｖｉｄｅｏ規格の映像データに変換する場合、ＵＤ−ＰＧＣ▲２▼〜▲４▼のテキストエリアに、それぞれアングル番号１〜３を書き込む。このようにすれば、プレビュー機能を備えたビデオデータ変換装置において、編集後のＤＶＤ−ＶＲ規格の映像データを確認する場合に、図１５に示すように、表示部のＯＳＤ機能を用いて、編集後の映像データとともにアングル番号も表示でき、ＤＶＤ−ＶＲ規格の映像データからＤＶＤ−Ｖｉｄｅｏ規格の映像データに変換する前のプレビュー表示において、ユーザがその再生状況を確認することが可能となる。
【０１１３】
さらに、そのアングル番号を入力したＤＶＤ−ＶＲ規格の映像データをＤＶＤ−Ｖｉｄｅｏ規格の映像に変換すれば、変換後の映像データにおいてもユーザがマルチアンアングルを構成する部分が再生されている場合に、現在再生中のアングル番号を確認できるようにすることができる。
【０１１４】
なお、上記説明においては、アングル番号をＤＶＤ−Ｖｉｄｅｏ規格のテキストエリアに記録するものとしたが、サブピクチャにアングル番号を保持するようにしてもよい。
【０１１５】
さらに、図１６に示すように、上記実施の形態２で説明したプレビュー機能を備えたビデオデータ変換装置に表示切替部４１をさらに備えるようにし、また上記テキストエリアに書きこむアングル番号には、特定文字列（例えばＡｎｇｌｅ等）を付加して、他のデータとは独立して情報を検索できるようにしておけば、アングル番号のみを独立させて表示部４０のＯＳＤ機能で、ユーザからの指示により、表示部４０に、上記テキストエリアに書かれたアングル番号の表示したり非表示にしたりすることができ、ユーザがアングル番号を知りたいときのみ、アングル場号を表示部４０に表示することができる効果がある。
【０１１６】
【発明の効果】
以上のように、本発明の請求項１に記載のビデオデータ変換方法によれば、単一のアングルしかサポートしない規格で記録した映像データを、複数のアングルをサポートする規格に準拠した映像データに変換するビデオデータ変換方法において、上記単一のアングルしかサポートしない規格で記録した映像データの再生順を各々示す、複数のプレイリストを作成し、該各プレイリストに対して、該各プレイリストの再生順に関するプレイリスト再生情報を入力し、該プレイリスト再生情報を持つ上記複数のプレイリストを、上記複数のアングルをサポートする規格に準拠した映像データの再生順を示す１つのプログラムに、上記プレイリスト再生情報に従って変換するようにしたので、単一のアングルしかサポートしない規格で保存した映像を複数のアングルをサポートした規格に変換する際に、マルチアングルに対応した映像の作成をサポートすることができる。また、プログラムリストに対してプレイリスト再生情報を指定することにより、編集途中に持つデータが少なくなる。
【０１１７】
また、本発明の請求項２に記載のビデオデータ変換方法によれば、請求項１に記載のビデオデータ変換方法において、上記プレイリストの再生順に関するプレイリスト再生情報が、上記各プレイリストの再生順序を示すものであり、上記複数のプレイリストの作成は、同一の再生時間を有する複数のプレイリストを含む上記複数のプレイリストを作成するものであり、上記各プレイリストに対する上記プレイリスト再生情報の入力は、該各プレイリストに上記プレイリストの再生順序を入力し、該プレイリストのうちの上記同一の再生時間を有する複数のプレイリストに同一の再生順序を入力するものであり、上記複数のプレイリストの変換は、該複数のプレイリストを、上記複数のアングルをサポートする規格に準拠した映像データの再生順を示す１つのプログラムに、上記各プレイリストの再生順序に従い且つ上記同一の再生順序を持つ複数のプレイリストをアングルブロックとして変換するものであるようにしたので、ユーザーは同じ総再生時間のプレイリストを用意すれば、そのプレイリストに対して再生順序を指定するという単純な作業で、単一のアングルしかサポートしない規格で保存した映像を、マルチアングルに対応した複数のアングルをサポートした規格に変換することができる。
【０１１８】
また、本発明の請求項３に記載のビデオデータ変換方法によれば、請求項１に記載のビデオデータ変換方法において、上記プレイリストの再生順に関するプレイリスト再生情報が、上記各プレイリストの再生開始時間を示すものであり、上記各プレイリストに対する上記プレイリスト再生情報の入力は、該各プレイリストに上記プレイリストの再生開始時間を入力するものであり、上記複数のプレイリストの変換は、該複数のプレイリストを、上記複数のアングルをサポートする規格に準拠した映像データの再生順を示す１つのプログラムに、上記各プレイリストの再生開始時間に従い且つ上記複数のプレイリストの再生時間の重なり部分をアングルブロックとして変換するものであるようにしたので、編集する際に、多くの同じ再生時間を有するプレイリストを作成せずにすみ、また、変換する際にユーザによりプレイリスト再生情報として指示する情報が少なくてよくなり、単一のアングルしかサポートしない規格で保存した映像を、柔軟性にとんだ、マルチアングルに対応した複数のアングルをサポートした規格に変換することができる。
【０１１９】
また、本発明の請求項４に記載のビデオデータ変換方法によれば、請求項３に記載のビデオデータ変換方法において、上記複数のプレイリストのうち、上記プレイリストの最後までを再生するプレイリストに、次のジャンプ先のプレイリストの情報を示すジャンプコマンドを付し、上記複数のプレイリストの変換は、上記ジャンプコマンドが付されたプレイリストを含む複数のプレイリストを、上記複数のアングルをサポートする規格に準拠した映像データの再生順を示す１つのプログラムに、上記各プレイリストの再生開始時間及び上記ジャンプコマンドに従って変換するものであるようにしたので、アングルブロック終了後に再生される映像が中途半端な場合、きりの良いシーンから再生するよう変換することが可能になる。
【０１２０】
また、本発明の請求項５に記載のビデオデータ変換方法によれば、請求項２に記載のビデオデータ変換方法において、上記複数のプレイリストのうち、上記同一の再生順序を有する複数のプレイリストの任意の位置にエントリポイントを入力し、上記複数のプレイリストの変換は、上記エントリポイントが挿入された複数のプレイリストを、上記複数のアングルをサポートする規格に準拠した映像データの再生順を示す１つのプログラムに、上記各プレイリストの再生順序に従い且つ上記エントリポイントが挿入された上記同一の再生順序を持つ複数のプレイリストをシームレスアングルブロックとして変換するものであるようにしたので、単一のアングルしかサポートしない規格で保存した映像を、シームレスマルチアングルに対応した複数のアングルをサポートした規格に変換することができる。
【０１２１】
また、本発明の請求項６に記載のビデオデータ変換方法によれば、請求項３に記載のビデオデータ変換方法において、上記複数のプレイリストのうち、上記複数のプレイリストの再生時間の重なり部分の任意の位置にエントリポイントを入力し、上記複数のプレイリストの変換は、該複数のプレイリストを、上記複数のアングルをサポートする規格に準拠した映像データの再生順を示す１つのプログラムに、上記各プレイリストの再生開始時間に従い且つ上記エントリポイントが挿入された複数のプレイリストの再生時間の重なり部分をシームレスアングルブロックとして変換するものであるようにしたので、単一のアングルしかサポートしない規格で保存した映像を、シームレスマルチアングルに対応した、より柔軟性のある複数のアングルをサポートした規格に変換することができる。
【０１２２】
また、本発明の請求項７に記載のビデオデータ変換方法によれば、請求項２または請求項３に記載のビデオデータ変換方法において、上記アングルブロックと認識された、上記複数のプレイリストの各テキストエリアに、アングル番号を挿入するようにしたので、変換後の映像において、ユーザが再生状況を確認することができる。
【０１２３】
また、本発明の請求項８に記載のビデオデータ再生方法によれば、単一のアングルしかサポートしない規格で記録した映像データの再生を行うビデオデータ再生方法において、上記単一のアングルしかサポートしない規格で記録した映像データの再生順を各々示す、複数のプレイリストを作成し、該各プレイリストに対して、該各プレイリストの再生順に関するプレイリスト再生情報を入力し、上記複数のプレイリストを、該プレイリスト再生情報に従って再生するようにしたので、複数のアングルをサポートする規格の映像データに変換前に、プレビュー表示で単一のアングルしかサポートしない規格のまま、擬似的にマルチアングルに対応した再生をサポートすることが可能となり、これにより、ユーザに変換後のイメージを見せることができる。
【０１２４】
また、本発明の請求項９に記載のビデオデータ再生方法によれば、請求項８に記載のビデオデータ再生方法において、上記プレイリストの再生順に関するプレイリスト再生情報が、上記各プレイリストの再生順序を示すものであり、上記複数のプレイリストの作成は、同一の再生時間を有する複数のプレイリストを含む上記複数のプレイリストを作成するものであり、上記各プレイリストに対する上記プレイリスト再生情報の入力は、該各プレイリストに上記再生順序を入力し、該プレイリストのうちの上記同一の再生時間を有する複数のプレイリストに同一の再生順序を入力するものであり、上記複数のプレイリストの再生は、該各プレイリストを上記各プレイリストの再生順序に従い且つ上記同一の再生順序を持つ複数のプレイリストをアングルブロックとして再生するものであるようにしたので、マルチアングルをサポートしていない規格においても、擬似的にマルチアングルに対応した再生をサポートすることができる。
【０１２５】
また、本発明の請求項１０に記載のビデオデータ再生方法によれば、請求項９に記載のビデオデータ再生方法において、上記複数のプレイリストのアングルブロックとしての再生は、上記同一の再生順序が入力された複数のプレイリストの１つを再生中にアングル変更操作が行われたとき、該再生中のプレイリストと同一の再生順序を持つ他のプレイリストを読み込み、該他のプレイリストの同じ再生時間の位置にジャンプするものであるようにしたので、変換前のプレビュー表示において、マルチアングルをサポートしていない規格においても、ユーザがアングル変更操作を擬似的に体験することができる。
【０１２６】
また、本発明の請求項１１に記載のビデオデータ再生方法によれば、請求項９に記載のビデオデータ再生方法において、上記複数のプレイリストのアングルブロックとしての再生は、上記同一の再生順序が入力された複数のプレイリストの１つを再生中に、該再生中のプレイリストと同一の再生順序を持つ他のプレイリストを読み込んでおき、上記同一の再生順序が入力された複数のプレイリストの１つを再生中にアングル変更操作が行われたとき、上記他のプレイリストの同じ再生時間の位置にジャンプするものであるようにしたので、ジャンプするプレイリストの情報をあらかじめ読み込んでおくことですばやくジャンプすることが可能となり、これにより、アングルの切り替え時間が短縮でき、プレビュー表示として利用する場合、複数のアングルをサポートする規格のアングル変更操作により近い操作感が得られる。
【０１２７】
また、本発明の請求項１２に記載のビデオデータ再生方法によれば、請求項８に記載のビデオデータ再生方法において、上記プレイリストの再生順に関するプレイリスト再生情報が、上記各プレイリストの再生開始時間を示すものであり、上記各プレイリストに対する上記プレイリスト再生情報の入力は、該各プレイリストに対して上記プレイリストの再生開始時間を入力するものであり、上記複数のプレイリストの再生は、該各プレイリストを上記各プレイリストの再生開始時間に従い、且つ上記複数のプレイリストの再生時間の重なり部分をアングルブロックとして再生するものであるようにしたので、マルチアングルをサポートしていない規格においても、擬似的にマルチアングルに対応した再生をサポートすることができる。
【０１２８】
また、本発明の請求項１３に記載のビデオデータ再生方法によれば、請求項１２に記載のビデオデータ再生方法において、上記複数のプレイリストのアングルブロックとしての再生は、上記複数のプレイリストの再生時間の重なり部分の再生中にアングル変更操作が行われたとき、該再生中のプレイリストと再生時間が重なる他のプレイリストを読み込み、該他のプレイリストの対応する再生時間の位置にジャンプするものであるようにしたので、変換前のプレビュー表示において、マルチアングルをサポートしていない規格においても、ユーザがアングル変更操作を擬似的に体験することができる。
【０１２９】
また、本発明の請求項１４に記載のビデオデータ再生方法によれば、請求項１２に記載のビデオデータ再生方法において、上記複数のプレイリストのうち、上記プレイリストの最後までを再生するプレイリストに、次のジャンプ先のプレイリストの情報を示すジャンプコマンドを付し、上記複数のプレイリストの再生は、該ジャンプコマンドが付されたプレイリストを含む複数のプレイリストを、上記各プレイリストの再生開始時間及び上記ジャンプコマンドに従って再生するものであるようにしたので、アングルブロック終了後に再生される映像が中途半端な場合、きりの良いシーンから再生することが可能になる。
【０１３０】
また、本発明の請求項１５に記載のビデオデータ再生方法によれば、請求項９に記載のビデオデータ再生方法において、上記複数のプレイリストのうち、上記同一の再生順序を有する複数のプレイリストの任意の位置にエントリポイントを入力し、上記複数のプレイリストの再生は、該各プレイリストを上記各プレイリストの再生順序に従い、且つ上記エントリポイントが挿入された上記同一の再生順序を持つ複数のプレイリストをシームレスアングルブロックとして再生するものであるようにしたので、マルチアングルをサポートしていない規格においても、擬似的にシームレスマルチアングルに対応した再生をサポートすることができる。
【０１３１】
また、本発明の請求項１６に記載のビデオデータ再生方法において、請求項１５に記載のビデオデータ再生方法において、上記複数のプレイリストのシームレスアングルブロックとしての再生は、該同一の再生順序を持つ複数のプレイリストの１つを再生中にアングル変更操作が行われたとき、該再生中のプレイリストの再生を上記挿入されたエントリポイントの位置まで行い、該再生中のプレイリストと同一の再生順序を持つ他のプレイリストの、上記挿入されたエントリポイントの位置にジャンプするものであるようにしたので、変換前のプレビュー表示において、シームレスマルチアングル機能をサポートしていない規格においても、ユーザがアングル変更操作を擬似的に体験することができる。
【０１３２】
また、本発明の請求項１７に記載のビデオデータ再生方法によれば、請求項１２に記載のビデオデータ再生方法において、上記複数のプレイリストのうち、上記複数のプレイリストの再生時間の重なり部分の任意の位置にエントリポイントを入力し、上記複数のプレイリストの再生は、該複数のプレイリストを上記各プレイリストの再生開始時間に従い、且つ上記エントリポイントが挿入された上記複数のプレイリストの再生時間の重なり部分をシームレスアングルブロックとして再生するものであるようにしたので、マルチアングルをサポートしていない規格においても、擬似的にシームレスマルチアングルに対応した再生をサポートすることができる。
【０１３３】
また、本発明の請求項１８に記載のビデオデータ再生方法によれば、請求項１７に記載のビデオデータ再生方法において、上記複数のプレイリストのシームレスアングルブロックとしての再生は、該複数のプレイリストの再生時間の重なり部分を再生中にアングル変更操作が行われたとき、該再生中のプレイリストの再生を上記挿入されたエントリポイントの位置まで行い、該再生中のプレイリストと再生時間が重なる他のプレイリストの、上記挿入されたエントリポイントの位置にジャンプするものであるようにしたので、変換前のプレビュー表示において、シームレスマルチアングル機能をサポートしていない規格においても、ユーザがアングル変更操作を擬似的に体験することができる。
【０１３４】
また、本発明の請求項１９に記載のビデオデータ再生方法によれば、請求項９または請求項１２に記載のビデオデータ再生方法において、上記アングルブロックとする上記複数のプレイリストのテキストエリア各々に、アングル番号を挿入し、上記複数のプレイリストの再生は、該複数のプレイリストを上記アングル番号とともに再生するものであるようにしたので、複数のアングルをサポートする規格への変換前のプレビュー表示で、ユーザは現在見ているアングル番号を知ることができる。
【図面の簡単な説明】
【図１】本発明の実施の形態１における、単一アングルのＤＶＤ−ＶＲ規格の映像データ（図（ａ））から、マルチアングルに対応したＤＶＤ−Ｖｉｄｅｏ規格の映像データ（図（ｂ））に変換する概念図である。
【図２】本発明の実施の形態１にかかるビデオデータ変換装置の構成を示す図である。
【図３】本発明の実施の形態１にかかるビデオデータ変換装置の一連の動作を示すフローチャートである。
【図４】本発明の実施の形態２におけるビデオデータ変換装置のプレビュー動作に必要な構成部分を示した図である。
【図５】本発明の実施の形態２におけるビデオデータ変換装置においてプレビューを行う際の一連の動作を示すフローチャートである。
【図６】ＤＶＤ−Ｖｉｄｅｏ規格における非シームレスアングルブロックでのアングル変更時の動作の概念図である。
【図７】本発明の実施の形態３にいて、単一アングルのＤＶＤ−ＶＲ規格の映像データ（図（ａ））から、マルチアングルに対応したＤＶＤ−Ｖｉｄｅｏ規格の映像データ（図（ｂ））に変換する概念図である。
【図８】本発明の実施の形態３にかかるビデオデータ変換装置の一連の変換動作を示すフローチャートである。
【図９】本発明の実施の形態４におけるビデオデータ変換装置においてプレビューを行う際の一連の動作を示すフローチャートである。
【図１０】本発明の実施の形態４においてＵＤ−ＰＧＣにコマンド情報を付した場合の概念図である。
【図１１】ＤＶＤ−Ｖｉｄｅｏ規格におけるシームレスアングルブロックでのアングル変更時の動作の概念図である。
【図１２】本発明の実施の形態５において、単一アングルのＤＶＤ−ＶＲ規格の映像データ（図（ａ））から、マルチアングルに対応したＤＶＤ−Ｖｉｄｅｏ規格の映像データ（図（ｂ））に変換する際、そのアングルブロックをシームレスアングルブロックとする場合の概念図である。
【図１３】本発明の実施の形態５にかかるビデオデータ変換装置において、エントリポイントが設定されたＤＶＤ−ＶＲ規格の映像データをプレビューする場合の一連の動作を示すフローチャートである。
【図１４】本発明の実施の形態５におけるビデオデータ変換装置において、シームレスマルチアングルに対応したプレビューを行う際の一連の動作を示すフローチャートである。
【図１５】本発明の実施の形態７における表示部の画面状態を示す図である。
【図１６】本発明の実施の形態７におけるビデオデータ変換装置のプレビュー動作に必要な構成部分を示した図である。
【図１７】従来のビデオデータ変換装置の構成を示す図である。
【図１８】ＤＶＤ−ＶＲ規格のＰＧＣのデータ構成を示す図である。
【図１９】ＤＶＤ−Ｖｉｄｅｏ規格のＰＧＣのデータ構成を示す図である。
【図２０】従来において、ＤＶＤ−ＶＲ規格からＤＶＤ−Ｖｉｄｅｏ規格に変換するビデオデータ変換方法の概念図である。
【図２１】ＤＶＤ−Ｖｉｄｅｏ規格におけるアングルブロックのＶＯＢＵの記録順序を示す概念図である。
【符号の説明】
１，１７１１  制御部
２，１７１２  ＵＤ−ＰＧＣ解析部
３，１７１３  データ読出部
４  ＶＯＢＵ制御部
５，１７１５  ＮＶ−ＰＣＫ付加部
６，１７１６  データ書込部
７，１７１７  ＰＧＣ作成部
８  ＭＰＥＧデコーダ
９  信号出力部
１０，１７１０  ビデオデータ変換装置
１０ａ，１０ｂ  プレビュー機能を備えたビデオデータ変換装置
２０，１７２０  第１のメモリ
３０，１７３０  第２のメモリ
４０  表示部
４１  表示切替部
【図１】
2004253842.tif 000003
【図２】
2004253842.tif 000004
【図３】
2004253842.tif 000005
【図４】
2004253842.tif 000006
【図５】
2004253842.tif 000007
【図６】
2004253842.tif 000008
【図７】
2004253842.tif 000009
【図８】
2004253842.tif 000010
【図９】
2004253842.tif 000011
【図１０】
2004253842.tif 000012
【図１１】
2004253842.tif 000013
【図１２】
2004253842.tif 000014
【図１３】
2004253842.tif 000015
【図１４】
2004253842.tif 000016
【図１５】
2004253842.tif 000017
【図１６】
2004253842.tif 000018
【図１７】
2004253842.tif 000019
【図１８】
2004253842.tif 000020
【図１９】
2004253842.tif 000021
【図２０】
2004253842.tif 000022
【図２１】
2004253842.tif 000023